(57)【要約】【課題】体腔内への外科的アクセスをもたらす、外科用アクセス装置を提供する。【解決手段】複数の外科器具が可変の挿入角度で単一の外科用アクセス装置を通して挿入されることを可能にするための様々な装置を提供し、吹き込みを維持しながら患者の身体内での操作をしやすくする。安全シールドおよび解放機構も、様々な外科用アクセス装置と共に使用するために提供される。【選択図】図１Ａ
2010082450.tif 000002
【特許請求の範囲】
【請求項１】
外科用アクセス装置において、
開創器であって、体腔内へと組織を貫通する通路を形成するために、前記開創器を通って延びる開口部を有する、開創器と、
前記開創器に連結されており、外科器具を受容するために、複数のシールポートを有する、ハウジングと、
前記開創器内部に配されており、前記シールポートおよび前記開創器を通して外科器具が挿入されることにより引き起こされる損傷から、組織を保護するように構成された、可撓性シールドと、
を含む、外科用アクセス装置。
【請求項２】
請求項１に記載の外科用アクセス装置において、
前記可撓性シールドは、前記開創器の長さと少なくとも同じ長さを有する、外科用アクセス装置。
【請求項３】
請求項１に記載の外科用アクセス装置において、
前記可撓性シールドは、前記開創器の長さよりも長い長さを有する、外科用アクセス装置。
【請求項４】
請求項１に記載の外科用アクセス装置において、
前記可撓性シールドは、前記ハウジングに連結されており、手術が行われる患者の体腔内へ前記ハウジングから延びるように構成されている、外科用アクセス装置。
【請求項５】
請求項１に記載の外科用アクセス装置において、
前記可撓性シールドに連結されており、曲がりくねった通路に沿って前記可撓性シールドを操縦するように構成された、操縦ケーブル、
をさらに含む、外科用アクセス装置。
【請求項６】
請求項１に記載の外科用アクセス装置において、
前記可撓性シールドは、前記ハウジングに取り外し可能に連結される、外科用アクセス装置。
【請求項７】
請求項１に記載の外科用アクセス装置において、
前記可撓性シールドは、シリコーン、ウレタン、熱可塑性エラストマー、およびゴムから成る群から選択された材料で形成される、外科用アクセス装置。
【請求項８】
請求項１に記載の外科用アクセス装置において、
前記可撓性シールドは、ポリオレフィン、ポリエステル、ナイロン、およびフルオロポリマーから成る群から選択された材料で形成される、外科用アクセス装置。
【請求項９】
請求項１に記載の外科用アクセス装置において、
各シールポートは、互いに異なる中心軸であって、前記ハウジングの長さ方向中心軸とは異なる、中心軸を有する、外科用アクセス装置。
【請求項１０】
請求項１に記載の外科用アクセス装置において、
前記ハウジングは、前記開創器に対して回転可能である、外科用アクセス装置。
【請求項１１】
請求項１に記載の外科用アクセス装置において、
前記シールポートのうち少なくとも１つが、前記ハウジングに対して回転可能である、外科用アクセス装置。
【請求項１２】
請求項１に記載の外科用アクセス装置において、
各シールポートは、前記中心軸の角度方向が調節可能となるように、前記ハウジングに対して自由に動くことができる、外科用アクセス装置。
【請求項１３】
請求項１に記載の外科用アクセス装置において、
前記ハウジングを前記開創器に対して多軸的に動かすように、前記ハウジングと前記開創器との間に延在する、可撓性コネクタ、
をさらに含む、外科用アクセス装置。
【請求項１４】
請求項１３に記載の外科用アクセス装置において、
前記可撓性シールドは、前記可撓性コネクタおよび前記開創器を通って延びる、外科用アクセス装置。
【請求項１５】
請求項１に記載の外科用アクセス装置において、
前記開創器との、前記ハウジングの選択的な係合および係合解除を可能にするように構成された、解放機構、
をさらに含む、外科用アクセス装置。
【請求項１６】
外科用アクセス装置において、
外科器具を受容するために、複数のシールポートを有するハウジングと、
患者の身体の開口部に位置付け可能であり、前記シールポートを通して挿入された外科器具を受容するために、前記ハウジングから遠位に延びる、開創器と、
前記ハウジングから近位に延びており、前記ハウジングの前記シールポート内へ進められる外科器具の挿入により引き起こされる損傷から、組織を保護するように構成された、カラーと、
を含む、外科用アクセス装置。
【請求項１７】
請求項１６に記載の外科用アクセス装置において、
前記カラーは、遠位開口部および近位開口部を備えた、実質的に円錐形の形状を有し、前記遠位開口部は、前記ハウジングの基部を受容する、外科用アクセス装置。
【請求項１８】
請求項１６に記載の外科用アクセス装置において、
前記カラーの少なくとも遠位部分が、実質的に剛性である、外科用アクセス装置。
【請求項１９】
請求項１８に記載の外科用アクセス装置において、
前記カラーの少なくとも前記遠位部分は、ポリカーボネート、および高密度ポリエチレンから成る群から選択された材料から形成される、外科用アクセス装置。
【請求項２０】
請求項１６に記載の外科用アクセス装置において、
前記カラーの少なくとも近位部分が、実質的に可撓性である、外科用アクセス装置。
【請求項２１】
請求項２０に記載の外科用アクセス装置において、
前記カラーの少なくとも前記近位部分は、シリコーン、ウレタン、熱可塑性エラストマー、およびゴムから成る群から選択された材料から形成される、外科用アクセス装置。
【請求項２２】
請求項１６に記載の外科用アクセス装置において、
前記カラーは、前記ハウジングに前記カラーを解放可能に固定するために、その遠位部分に解放可能な固定要素を含む、外科用アクセス装置。
【請求項２３】
請求項２２に記載の外科用アクセス装置において、
前記固定要素は、片持ち梁風に突き出た少なくとも１つのスナップを含む、外科用アクセス装置。
【請求項２４】
請求項１６に記載の外科用アクセス装置において、
前記カラーは、組織に前記カラーを固定するために、その近位部分の周りに配された複数の縫合糸用穴を有する、外科用アクセス装置。
【請求項２５】
請求項１６に記載の外科用アクセス装置において、
前記ハウジングは、前記開創器に対して回転可能であり、前記カラーの回転は、前記ハウジングを回転させるのに有効である、外科用アクセス装置。
【請求項２６】
請求項１６に記載の外科用アクセス装置において、
前記カラーは、前記ハウジングを方向付けるための、および外科器具を前記シールポート内へ導くための、誘導マークを含む、外科用アクセス装置。
【請求項２７】
外科用アクセス装置において、
近位に向いた表面および遠位に向いた表面を有する基部リングと、
前記基部リングの前記遠位に向いた表面から遠位に延びる開創器と、
前記基部リングの前記近位に向いた表面から近位に延びるハウジングであって、前記ハウジングは、複数のシールポートを有する、ハウジングと、
前記開創器の内部を通って前記基部リングから遠位に延びるシールドであって、前記シールドは、前記開創器を通して外科器具が挿入されることにより引き起こされる損傷から、前記開創器を保護するように構成されている、シールドと、
を含む、外科用アクセス装置。
【請求項２８】
請求項２７に記載の外科用アクセス装置において、
前記シールドは、前記基部リングに解放可能に連結される、外科用アクセス装置。
【請求項２９】
請求項２７に記載の外科用アクセス装置において、
前記シールドは、前記開創器の長さよりも長い長さを有する、外科用アクセス装置。
【請求項３０】
請求項２７に記載の外科用アクセス装置において、
前記可撓性シールドに連結されており、曲がりくねった通路に沿って前記可撓性シールドを操縦するように構成された、操縦ケーブル、
をさらに含む、外科用アクセス装置。
【請求項３１】
請求項２７に記載の外科用アクセス装置において、
前記基部リングから前記カラーを取り外すための解放機構、
をさらに含む、外科用アクセス装置。
【請求項３２】
請求項２７に記載の外科用アクセス装置において、
前記シールドは、シリコーン、ウレタン、熱可塑性エラストマー、およびゴムから成る群から選択された材料で形成される、外科用アクセス装置。
【請求項３３】
請求項２７に記載の外科用アクセス装置において、
前記複数のシールポートのそれぞれから遠位に延びる複数のシールド、
をさらに含む、外科用アクセス装置。
【請求項３４】
請求項２７に記載の外科用アクセス装置において、
前記シールドは、ポリオレフィン、ポリエステル、ナイロン、およびフルオロポリマーから成る群から選択された材料で形成される、外科用アクセス装置。
【請求項３５】
請求項２７に記載の外科用アクセス装置において、
前記ハウジングを前記開創器に対して多軸的に動かすように、前記ハウジングと前記開創器との間に延在する、可撓性コネクタ、
をさらに含む、外科用アクセス装置。
【発明の詳細な説明】
【開示の内容】
【０００１】
〔発明の分野〕
本発明は、体腔内への外科的アクセスをもたらす、外科用アクセス装置に関する。
【０００２】
〔発明の背景〕
腹部腹腔鏡手術は、胆嚢の腹腔鏡的除去の、従来（切開）手術に対する利点が明らかになってきた１９８０年代後半には好評を博した。術後の回復期間の減少、術後の痛みおよび創傷感染の著しい減少、ならびに、美容的結果（cosmetic outcome）の改善は、体腔壁のより小さな切開部を用いて手術を行う腹腔鏡外科医の能力から主に得られる、腹腔鏡手術の確立した利益である。
【０００３】
腹腔鏡処置は、一般に、ＣＯ２ガスで、約１５ｍｍＨｇ（約１９９９．８４Ｐａ）の圧力まで腹腔に吹き込みを行う（insufflation）ことを伴う。腹壁は穴をあけられ、直径５〜１０ｍｍのまっすぐな管状カニューレもしくはトロカールスリーブが、その後、腹腔に挿入される。手術室モニターに接続された腹腔鏡的円筒状拡大光学器械（laparoscopic telescope）が、術野を可視化するのに用いられ、トロカールスリーブを通して設置される。腹腔鏡器具（把持器（graspers）、解剖器具、はさみ、開創器など）が、外科医および外科助手により操作されるように、追加の２つ以上のトロカールスリーブを通して設置される。
【０００４】
最近では、いわゆる「ミニ腹腔鏡検査（mini-laparoscopy）」が、２〜３ｍｍの直径のまっすぐなトロカールスリーブおよび腹腔鏡器具を用いて、導入されてきている。うまくいった場合、ミニ腹腔鏡検査は、腹壁外傷のさらなる減少、および美容面（cosmesis）の改善を可能にする。しかしながら、ミニ腹腔鏡処置に使用される器具は、一般に、より高価で壊れやすい。より小さな直径に起因する、それら器具の性能限界（弱い吸引‐灌注システム、不十分な耐久性、ビデオ品質の低下）のため、ミニ腹腔鏡検査用器具は、概して、適した解剖学的構造（薄い腔壁、付着物の少なさ（few adhesions）、最小の炎症など）を持つ、選ばれた患者のみに用いられうる。このような患者は、腹腔鏡処置を必要とする患者のわずかな割合に相当する（represent）。加えて、より小さな２〜３ｍｍの切開部は、やはり、望ましくない美容上の結果および創傷合併症（出血、感染、痛み、ケロイド形成など）を引き起こす場合がある。
【０００５】
より小さくより少数の体腔切開部の利点が証明されているので、臍におけるただ１つの切開部を用いて手術を行うことが望ましいであろう。臍は、腹壁の、十分に隠れ、かつ、最も薄く最も血管新生の少ない領域（well-hidden and the thinnest and least vascularized area）である。臍は、概して、腹腔鏡処置で腹腔に入ることにおける好ましい選択である。臍切開部は、美容面を著しく損なうことなく、また、創傷合併症が起きる可能性を増大させることなく、（より大きな検体を摘出するために）容易に拡張されうる。２つ以上の標準的な（まっすぐな)カニューレおよび腹腔鏡器具を隣同士にして臍に置くことにより、いわゆる「チョップスティック（chopstick）」効果が生じ、これは、外科医の手同士の間、外科医の手と器具との間、また、器具同士の間における干渉を表すものである。この干渉は、前記の処置を行う外科医の能力を大いに低減させる。
【０００６】
ゆえに、臍またはどこか他の場所に位置する外科ポートを通して腹腔鏡処置が専ら行われることを可能にすると同時に「チョップスティック効果」を軽減または排除する、器具、およびトロカールシステムが必要とされている。
【０００７】
〔発明の概要〕
本発明は、概して、患者の身体の内部への外科的アクセスを可能にする装置を提供する。一実施形態では、外科用アクセス装置が提供され、この外科用アクセス装置は、開創器を含んでよく、開創器は、体腔内へと組織を貫通する通路を形成するため、この開創器を通って延びる開口部を有する。ハウジングが、開創器に連結されていてよく、また、ハウジングを通って延びる長さ方向軸を定めることができる。ハウジングは、開創器の開口部と連絡している、複数の剛性シールポートを含むことができる。いくつかの実施形態では、各シールポートは、シール要素を内部に有してよく、ハウジングの長さ方向軸と、ゼロより大きい角度を成す中心軸を有してよい。各シールポートの中心軸は、他のすべてのシールポートの中心軸と異なっていてよい。
【０００８】
例示的な一実施形態では、シールポートのうち少なくとも１つが、残りのシールポートの開口部の直径とは異なる直径を備えた開口部を有しうる。シールポートは、ハウジングに対して回転可能であってよく、２つ以上のシールポートは、ハウジングに対して、ユニットとして回転可能であってよい。各シール要素は、側方および旋回運動（lateral and pivotal movement）をするよう構成されてよく、ハウジングに対して自由に移動可能であってよく、このため、中心軸の角度方向（angular orientation）が調節可能となる。一実施形態では、アダプタが、シールポートの有効径を変えるために、シールポートのうち少なくとも１つに取り外し可能に結合可能であってよい。他の実施形態では、アダプタは、非円形断面を有する外科器具を受容し、また、その外科器具とシールを形成するように、非円形断面を有することができる。
【０００９】
ハウジングはあらゆる構成を有してよいが、一実施形態では、ハウジングは、凸状構成と凹状構成との間で動くことができる。ハウジングは、開創器に対して回転可能であってよい。可撓性コネクタ、例えばベローズが、ハウジングと開創器との間に延在して、ハウジングを、開創器に対して多軸的に動かすことができる。いくつかの実施形態では、ハウジングは、開創器に蝶番式に接続されることができる。開創器は、近位フランジおよび遠位フランジを含んでよく、これらフランジは、近位フランジと遠位フランジとの間に延在する可撓性円筒部分を有する。ハウジングは、開創器の近位フランジに解放可能に連結される遠位環を含んでよい。外科用アクセス装置はまた、ハウジングの、開創器との、選択的な係合および係合解除を可能にするよう構成された解放機構を含むことができる。
【００１０】
別の例示的実施形態では、外科用アクセス装置は、開創器の中に配された可撓性シールドであって、シールポートおよび開創器を通して外科器具を挿入することにより引き起こされる損傷から開創器を保護するように構成された、可撓性シールドを含みうる。開創器は、体腔を照らすことができるように、開創器上に配された照明要素をオプションとして含むことができる。
【００１１】
別の実施形態では、外科用アクセス装置が提供され、この外科用アクセス装置は、外科器具を受容するための、シール要素を備えた複数の剛性シールポートを有する、ハウジングを含むことができる。複数のシールポートは、これらシールポートを通って延びる中心軸を有してよく、この中心軸は、互いに異なるものである。いくつかの実施形態では、シールポートの中心軸は、ハウジングの長さ方向中心軸と異なっていてよく、シールポートのうち少なくとも１つは、ハウジングに対して回転可能であってよい。
【００１２】
外科用アクセス装置は、シールポートを通して挿入される外科器具を受容するための、ハウジングから遠位に延びる可撓性カニューレをさらに含むことができる。例示的な一実施形態では、ハウジングは、可撓性カニューレに対して回転可能であってよい。ハウジングは、シールポートの中心軸を新しい方向に向けることができるように、オプションとして、可撓性であり、また凸状構成と凹状構成との間で移動可能であることができる。
【００１３】
他の態様では、外科用アクセス装置が提供され、この外科用アクセス装置は、複数のシールポートを有するハウジングを含むことができる。各シールポートは、非円形断面を有する器具の周りにシールを形成するように構成された、非円形開口部を備えたシールを有することができ、各シールはハウジングに対して回転可能であり、シールが、そのシールを通して挿入された器具と共に回転し、かつその器具の周りにシールを保持することができる。いくつかの実施形態では、各シールは、異なる非円形開口部形状を有してよく、シールのうち少なくとも１つのシールにおける非円形開口部は、三角形、四辺形、および長円形を含むことができるがこれらに限定されない、形状を有してよい。外科用アクセス装置は、ハウジングから延びる開創器をさらに含むことができ、開創器は、外科器具を受容するための、開創器を貫通して形成された開口部を有しうる。ハウジングは、開創器に対して回転可能であってよく、シールは、開創器に対して浮動することができる。
【００１４】
別の例示的実施形態では、外科用アクセス装置が提供され、この外科用アクセス装置は、開創器であって、開創器を貫通して延びる開口部を有する、開創器と、開創器に連結され、複数のシールポートを有するハウジングと、を含むことができる。ハウジングは、使用中にシールポートを通して外科器具を位置付けることができるように、開創器に対して自由に回転可能とすることができる。シールポートは、オプションとして、ハウジング内部で非対称に位置付けられうる。外科用アクセス装置はまた、開創器とハウジングとの間に配された基部リングであって、ハウジングの回転を可能にするよう構成された、基部リングを含むことができる。解放機構が、開創器およびハウジングに解放可能に結合されてよく、また、ハウジングを開創器から切り離すように構成されることができる。いくつかの実施形態では、シールポートのうち少なくとも１つは、ハウジングおよび開創器の長さ方向中心軸とは異なる中心軸を有するように方向付けられてよく、シールポートのうち少なくとも１つは、ハウジングに対して回転可能であってよい。加えて、少なくとも１つのシールポートは、ハウジングの長さ方向中心軸と角度を成す平面で延びるシール要素を有することができ、その平面とハウジングの長さ方向中心軸との間の角度は、調節可能であってよい。
【００１５】
別の例示的実施形態では、外科用アクセス装置が提供され、この外科用アクセス装置は、ハウジングであって、ハウジングから延びる可撓性カニューレを有する、ハウジングを含むことができ、可撓性カニューレは、外科器具を患者の身体内へ誘導するように構成されうる。シール要素が、ハウジング内部に配されて、外科器具を受容するよう構成されることができる。シール要素は、シール要素および可撓性カニューレを通して挿入された外科装置が、可撓性カニューレを回転させずに、その中で回転するように、ハウジングに対して回転可能であってよい。シール要素は、ハウジングを貫通して形成された開口部の内部に配されることができ、また、外科器具の周りでシールを形成するための器具シール、および器具が開口部を通して挿入されていない場合に開口部においてシールを形成するためのチャネルシール、のうちの少なくとも１つを含むことができる。いくつかの実施形態では、外科用アクセス装置は、可撓性カニューレに連結された操縦ケーブルであって、曲がりくねった通路に沿って可撓性カニューレを操縦するように構成された、操縦ケーブルをさらに含みうる。ハウジングおよび可撓性カニューレに対するシール要素の回転運動をロックするためのロック機構も含まれることができる。
【００１６】
様々なシールドおよびカラーが、外科用アクセス装置の様々な実施形態と共に使用されることができ、例示的な一実施形態では、外科用アクセス装置が提供され、この外科用アクセス装置は、開創器であって、体腔内へと組織を貫通する通路を形成するため、開創器を通って延びる開口部を有する、開創器を含むことができる。ハウジングは、開創器に連結されてよく、外科器具を受容するための複数のシールポートを有することができる。可撓性シールドが開創器内部に配されてよく、可撓性シールドは、シールポートおよび開創器を通して外科器具を挿入することにより引き起こされる損傷から、組織を保護するように構成されうる。いくつかの実施形態では、可撓性シールドは、開創器の長さと少なくとも同じ長さを有してよい。他の実施形態では、可撓性シールドは、開創器の長さよりも長い長さを有してよい。
【００１７】
可撓性シールドは、ハウジングに連結されてよく、ハウジングから、手術が行われる患者の体腔内へと延びるように構成されてよい。操縦ケーブルは、可撓性シールドに連結されて、曲がりくねった通路に沿って可撓性シールドを操縦するように構成されることができる。一実施形態では、可撓性シールドは、ハウジングに取り外し可能に連結されることができ、また、シリコーン、ウレタン、熱可塑性エラストマー、ゴム、ポリオレフィン、ポリエステル、ナイロン、およびフルオロポリマーを含むがこれらに限定されない、当技術分野で既知のあらゆる適切な材料から形成されうる。各シールポートは、互いに異なる中心軸であって、ハウジングの長さ方向中心軸と異なる、中心軸を有することができる。ハウジングは、開創器に対して回転可能であってよく、シールポートのうち少なくとも１つは、ハウジングに対して回転可能であってよい。いくつかの実施形態では、外科用アクセス装置は、ハウジングを、開創器に対して多軸的に動かすように、ハウジングと開創器との間に延在する可撓性コネクタをさらに含みうる。したがって、可撓性シールドは、可撓性コネクタおよび開創器の中を延びることができる。
【００１８】
別の例示的実施形態では、外科用アクセス装置が提供され、この外科用アクセス装置は、外科器具を受容するための、複数のシールポートを有するハウジングを含むことができる。開創器が、患者の身体の開口部に位置付け可能であってよく、また、シールポートを通して挿入された外科器具を受容するため、ハウジングから遠位に延びることができる。カラーが、ハウジングから近位に延びていてよく、ハウジングのシールポート内へ進められる外科器具の挿入により引き起こされる損傷から、組織を保護するように構成されていてよい。カラーは、遠位開口部および近位開口部を備えた、実質的に円錐形の形状を有することができ、遠位開口部は、ハウジングの基部を受容することができる。一実施形態では、カラーの少なくとも遠位部分が、実質的に剛性であり、例えば、ポリカーボネートまたは高密度ポリエチレンで形成されることができる。他の実施形態では、カラーの少なくとも近位部分が、実質的に可撓性であり、例えば、シリコーン、ウレタン、熱可塑性エラストマー、およびゴムで形成されることができる。
【００１９】
カラーは、カラーをハウジングに解放可能に固定するために、その遠位部分に、解放可能な固定要素を含みうる。一実施形態では、固定要素は、片持ち梁風に突き出た１つ以上のスナップ（one or more cantilevered snaps）であってよい。加えて、カラーは、カラーを組織に固定するために、その近位部分の周りに配された複数の縫合糸用穴を有することができる。ハウジングは、開創器に対して回転可能であってよく、カラーの回転は、ハウジングを回転させるのに有効であることができる。いくつかの実施形態では、カラーは、ハウジングを方向付けるため、また、外科器具をシールポート内へ導くための、誘導マークを含むことができる。
【００２０】
例示的な一実施形態では、外科用アクセス装置が提供され、この外科用アクセス装置は、近位に向いた表面および遠位に向いた表面を有する基部リングと、基部リングの、遠位に向いた表面から遠位に延びる開創器と、基部リングの、近位に向いた表面から近位に延びるハウジングと、を含むことができる。ハウジングは、複数のシールポートを有してよく、シールドが、開創器の内部を通って基部リングから遠位に延びることができる。シールドは、外科器具が開創器を通して挿入されることにより引き起こされる損傷から、開創器を保護するように構成されうる。
【００２１】
いくつかの実施形態では、シールドは、基部リングに解放可能に連結されてよく、開創器の長さより長い長さを有することができる。操縦ケーブルが、可撓性シールドに連結され、曲がりくねった通路に沿って可撓性シールドを操縦するように構成されることができる。外科用アクセス装置は、基部リングからカラーを取り外すための解放機構も含むことができる。一実施形態では、外科用アクセス装置は、複数のシールポートのそれぞれから遠位に延びる複数のシールドを含むことができる。
【００２２】
別の例示的実施形態では、外科用アクセス装置が提供され、この外科用アクセス装置は、複数のアクセスポートを有するハウジングを含むことができる。各アクセスポートは、スリットを有するシール要素を含んでよく、スリットは、器具が中を通過していない場合にアクセスポートをふさぐために選択的に開閉するように構成されている。加えて、各スリットは、ハウジングの周縁部に対して実質的に接線方向に延びることができる。シール要素のうち少なくとも１つは、シール要素のうち別の１つが開いたときの最大直径とは異なる、開いたときの最大直径を有することができる。
【００２３】
いくつかの実施形態では、シール要素のうち少なくとも１つのシール要素の最近位部分は、ハウジングの最近位部分と同一平面であってよい。他の実施形態では、シール要素のうち少なくとも１つのシール要素の最近位部分は、ハウジングの最近位部分に対して近位の位置にあってよい。さらなる実施形態では、シール要素のうち少なくとも１つのシール要素の最近位部分は、ハウジングの最近位部分に対して遠位の位置にあってよい。各アクセスポートは、互いに異なる中心軸を有してよく、シール要素のうち少なくとも１つは、ハウジングに対して回転可能であってよい。一実施形態では、アダプタが、アクセスポートの有効径を変えるように、アクセスポートのうち少なくとも１つに取り外し可能に結合可能であってよい。加えて、アクセスポートのうち少なくとも１つは、非円形断面を備えた外科器具の周りにシールを形成するため、非円形状の開口部を有する第２のシール要素を含むことができる。
【００２４】
外科用アクセス装置は、ハウジングから延びる開創器であって、アクセスポートを通して挿入される外科器具を受容するための開口部を有する、開創器も含みうる。ハウジングは、開創器に対して回転可能とすることができる。外科用アクセス装置は、ハウジングを開創器に対して多軸的に動かすために、ハウジングと開創器との間に延在する可撓性コネクタ、例えばベローズも含むことができる。一実施形態では、ハウジングは、可撓性コネクタにより、開創器に蝶番式に接続されうる。外科用アクセス装置はまた、ハウジングおよび開創器を選択的に係合および係合解除させる解放機構を含むことができる。可撓性シールドが、開創器の内部に配されて、アクセスポートおよび開創器を通して外科器具を挿入することにより引き起こされる損傷から、開創器を保護するように構成されることができる。開創器は、体腔を照らすことができるように開創器上に配された照明要素を含むことができる。
【００２５】
他の態様では、外科用アクセス装置が提供され、この外科用アクセス装置は、開創器であって、体腔内へと組織を貫通する通路を形成するため、開創器を通って延びる開口部を有する、開創器と、複数のシールポートを有するハウジングと、ハウジングを開創器に解放可能に結合させるように構成された解放機構と、を含むことができる。いくつかの実施形態では、ハウジングは基部リングを含んでよく、開創器は近位フランジを含んでよい。解放機構は、ハウジングを開創器に結合させるため、基部リングおよび近位フランジに係合することができる。例示的な一実施形態では、解放機構は、ハウジングを開創器と結合させるため、基部リングおよび近位フランジの周りに選択的に位置付け可能なＣクランプであってよい。解放機構はまた、近位フランジ上に形成されたラッチであって、基部リングに選択的に係合および係合解除するように構成された、ラッチであってよい。解放機構は、押しボタン、スイッチ、およびトリガーを含むがこれらに限定されない、当技術分野で既知のあらゆる形をとることができる。解放機構はまた、所望の回転位置でハウジングをロックするのに有効であることができる。
【００２６】
いくつかの実施形態では、各シールポートは、ハウジングを貫通して形成された開口部を有することができ、その開口部を通して挿入された外科器具の周りにシールを形成するための器具シール、および器具が開口部を通して挿入されていない場合に開口部にシールを形成するためのチャネルシール、のうち少なくとも１つを有しうる。各シールポートは、互いに異なる中心軸を有してよく、シールポートのうち少なくとも１つは、ハウジングに対して回転可能であってよい。他の実施形態では、ハウジングは、開創器に対して回転可能であってよい。外科用アクセス装置はまた、開創器の内部に配された可撓性シールドであって、シールポートおよび開創器を通して外科器具が挿入されることにより引き起こされる損傷から、開創器を保護するよう構成された、可撓性シールドを含むことができる。加えて、複数のシールポートを有する複数のハウジングが存在していてよく、各ハウジングは、その他のハウジングと交換可能であってよい。
【００２７】
別の例示的実施形態では、外科用アクセス装置が提供され、この外科用アクセス装置は、複数のアクセスポートを有するハウジングであって、アクセスポートは、それらアクセスポートから遠位に延びるダックビルシールを備えている、ハウジングと、ハウジングから遠位に延びる開創器と、を含むことができる。開創器の中間部分は、ハウジングの直径より小さい直径を有しうる。ダックビルシールは、シールを開くことになる、開創器によるシールとの非意図的な接触を最小限にするように方向付けられうる。例えば、各ダックビルシールは、選択的に開閉するよう構成されたスリットを含むことができ、スリットは、ハウジングの周縁部に対して接線方向に方向付けられうる。
【００２８】
いくつかの実施形態では、アクセスポートのうち少なくとも１つは、その他のアクセスポートの開口部の直径とは異なる直径を備えた開口部を有してよく、各アクセスポートは、互いに異なる中心軸を有しうる。加えて、ダックビルシールのうち少なくとも１つは、その他のダックビルシールに対して遠位に位置付けられることができる。他の実施形態では、ダックビルシールのうち少なくとも１つは、開創器の中間部分の中に延びることができ、ダックビルシールのうち少なくとも１つは、ハウジングに対して回転可能であってよい。
【００２９】
アダプタが、アクセスポートの有効径を変えるために、アクセスポートのうち少なくとも１つに取り外し可能に結合可能であってよい。一実施形態では、アクセスポーのうち少なくとも１つは、非円形断面を備えた外科器具の周りにシールを形成するように構成された、非円形の形状を備えた開口部を有する器具シールを含むことができる。加えて、ハウジングは、開創器に対して回転可能であってよい。外科用アクセス装置は、ハウジングを開創器に対して動かすように、ハウジングと開創器との間に延在するコネクタをさらに含みうる。解放機構は、ハウジングが開創器と選択的に係合および係合解除することを可能にするよう構成されることができる。いくつかの実施形態では、可撓性シールドが、開創器内部に配されて、アクセスポートおよび開創器を通して外科器具が挿入されることにより引き起こされる損傷から、開創器を保護するように構成されることができる。
【００３０】
別の例示的実施形態では、外科用アクセス装置が提供され、この外科用アクセス装置は、可撓性基部を有するハウジングを含んでよく、内部にシール要素を有しうる複数の剛性シールポートが可撓性基部の中を延びている。可撓性基部は、各シールポートが、シール要素を通って延びる器具を、互いに対して収束位置および分岐位置（converging and diverging positions）に選択的に位置付けることができるように、可動であってよい。可撓性基部は、凸状構成と凹状構成との間で可動であることができる。ハウジング内部の各シールポートは、ハウジング内部の近位位置とハウジング内部の遠位位置との間で選択的に可動であることができる。
【００３１】
外科用アクセス装置は、ハウジングから遠位に延びる開創器であって、シールポートを通して挿入された器具を受容するための、組織を貫通する開口部を形成するように構成された、開創器も含んでよい。ハウジングは、遠位環を含んでよく、遠位環は、開創器上の近位フランジに解放可能に連結され、開創器に対して回転可能であってよい。いくつかの実施形態では、各シールポートは、互いに異なる中心軸であって、ハウジングの長さ方向中心軸と異なる、中心軸を有することができる。シールポートのうち少なくとも１つは、その他のシールポートの開口部の直径とは異なる直径を備えた開口部を有することができる。例示的な一実施形態では、シールポートのうち少なくとも１つは、非円形開口部を有してよく、可撓性基部に対して回転可能であってよい。
【００３２】
外科用アクセス装置は、ハウジングを開創器に対して動かすように、ハウジングと開創器との間に延在する可撓性コネクタも含んでよく、ハウジングは、開創器に蝶番式に接続されることができる。解放機構は、ハウジングの、開創器との選択的な係合および係合解除を可能にするように構成されうる。一実施形態では、可撓性シールドが、開創器内部に配され、シールポートおよび開創器を通して外科器具を挿入することにより引き起こされる損傷から、開創器を保護するように構成されることができる。開創器はまた、体腔を照らすことができるように、開創器上に配された照明要素を含むことができる。いくつかの実施形態では、各シールポートは、シールポートを通して挿入された器具の周りにシールを形成するよう構成された器具シール、および器具がシールポートを通して挿入されていないときにアクセスポートをふさぐよう構成されたチャネルシール、のうち少なくとも１つを含む。
【００３３】
別の例示的実施形態では、外科用アクセス装置が提供され、この外科用アクセス装置は、外科器具を受容するための、シール要素を内部に備えた複数の剛性シールポートを有するハウジングを含むことができる。各シールポートは、ハウジングから独立して個別的に可動であってよく、各シールポートは、ハウジングに対する、最大範囲の側方および垂直運動、ならびにその組み合わせ（full range of lateral and vertical motion, and combinations thereof）を有する。複数のシールポートは、凸状構成と凹状構成との間で動くことができる可撓性基部に配されうる。開創器が、ハウジングから遠位に延びることができ、シールポートを通して挿入される器具を受容するため、組織を貫通する開口部を形成するように構成されることができる。
【００３４】
一実施形態では、ハウジングは、開創器上の近位フランジに解放可能に連結される遠位環を含んでよく、ハウジングは、開創器に対して回転可能であってよい。各シールポートは、互いに異なる中心軸であって、ハウジングの長さ方向中心軸と異なる、中心軸を有することができる。シールポートのうち少なくとも１つは、その他のシールポートの開口部の直径とは異なる直径を備えた開口部を有しうる。加えて、シールポートのうち少なくとも１つは、ハウジングに対して回転可能であってよい。アダプタが、シールポートの有効径を変えるために、シールポートのうち少なくとも１つに取り外し可能に結合可能であってよい。
【００３５】
外科用アクセス装置は、ハウジングを開創器に対して動かすように、ハウジングと開創器との間に延在する可撓性コネクタも含むことができる。解放機構が、ハウジングの、開創器との選択的な係合および係合解除を可能にするよう構成されうる。他の実施形態では、可撓性シールドが、開創器内部に配され、シールポートおよび開創器を通して外科器具を挿入することにより引き起こされる損傷から、開創器を保護するように構成されることができる。
【００３６】
別の実施形態では、外科用アクセス装置が提供され、この外科用アクセス装置は、ハウジングであって、ハウジングから延びる開創器を有する、ハウジングを含むことができ、開創器は、組織を貫通する通路を形成するよう構成されうる。ハウジングはまた、内部にシール要素を有する複数の剛性シールポートを含み、シールポートを通して外科器具を受容することができる。各シール要素は、互いに対して、ハウジングに対して、また、開創器が組織に位置付けられた場合は組織に対して、自由に移動可能とすることができる。各シール要素は、ハウジングに連結された可撓性基部に配されることができる。いくつかの実施形態では、可撓性基部は、シールポートを動かすように、凸状位置と凹状位置との間で可動であってよい。他の実施形態では、各シール要素は、側方に、垂直に、回転により（rotationally）、またその組み合わせで、自由に動くことができる。
【００３７】
一実施形態では、ハウジングは、開創器に対して回転可能であってよく、各シールポートは、互いに異なる中心軸であって、ハウジングの長さ方向中心軸と異なる、中心軸を有することができる。コネクタが、ハウジングを開創器に対して動かすように、ハウジングと開創器との間に延在することができる。外科用アクセス装置は、ハウジングの、開創器との選択的な係合および係合解除を可能にするように構成された解放機構をさらに含みうる。可撓性シールドが、開創器内部に配され、シールポートおよび開創器を通して外科器具が挿入されることにより引き起こされる損傷から、開創器を保護するように構成されることができる。
【００３８】
別の例示的実施形態では、外科用アクセス装置が提供され、この外科用アクセス装置は、外科器具を受容するための、複数のシールポートを有するハウジングと、開創器であって、複数のシールポートを通して挿入された外科器具のための、組織を貫通する通路を提供するため、開創器を貫通して形成された開口部を有する、開創器と、ハウジングと開創器との間で連結されたコネクタであって、ハウジングが、開創器に対して、最大範囲の側方および垂直運動を有することを可能にすることができる、コネクタと、を含むことができる。いくつかの実施形態では、コネクタは、開創器に対するハウジングの回転運動を可能にし、また、近位フランジおよび遠位フランジ、ならびに近位フランジと遠位フランジとの間に延在する可撓性円筒形部分を有することができる。コネクタは、当技術分野で既知のあらゆる適切な材料で形成されうるが、一実施形態では、コネクタは、エラストマー材料から形成されることができる。
【００３９】
ハウジングは、オプションとして、コネクタに対して回転可能であってよく、少なくとも１つのシールポートは、ハウジングに対して回転可能であってよい。各シールポートは、互いに異なる中心軸であって、ハウジングの長さ方向中心軸と異なる、中心軸を有することができる。外科用アクセス装置はまた、開創器内部に配された可撓性シールドであって、シールポートおよび開創器を通して外科器具が挿入されることにより引き起こされる損傷から、開創器を保護するように構成された、可撓性シールドを含むことができる。
【００４０】
本発明は、添付図面と共に理解される、以下の詳細な説明からさらに十分に理解されるであろう。
【００４１】
〔発明の詳細な説明〕
本明細書に開示される装置および方法の構造、機能、製造、および使用の原理の総合的理解を提供するため、特定の例示的実施形態を説明する。これらの実施形態の１つ以上の例が、添付図面に示される。当業者は、本明細書で特に説明され添付図面に示される装置および方法が、非限定的な例示的実施形態であり、本発明の範囲が請求項によってのみ定められることを理解するであろう。例示的な一実施形態と関連して示されるかまたは説明される特徴は、他の実施形態の特徴と組み合わせられてよい。このような改変および変形体は、本発明の範囲内に含まれることを意図している。
【００４２】
本発明は、概して、改善された外科用アクセス装置を提供し、この外科用アクセス装置は、複数の外科器具が、可変の挿入角度で単一の外科用アクセス装置を通して挿入されることを可能にし、吹き込みを維持しながら、患者の身体内部での手技をしやすくする。特定の例示的な実施形態では、外科器具を受容するための複数のアクセスポートまたはシールポートを有するハウジングが設けられる。各シールポートは、ポートをふさぐため、かつ／またはシールポートを通して配された外科器具の周りにシールを形成するために、内部に１つ以上のシール要素を含むことができる。ハウジングは、長さ方向中心軸を定めることができ、シールポートはそれぞれ、互いに異なる中心軸であって、ハウジングの長さ方向中心軸と異なる、中心軸を有し、それによって、外科医は、複数の外科器具の挿入をさらに制御することができる。いくつかの実施形態では、シールポートおよび／またはシール要素は、様々なタイプの動きをすることができ、外科器具を、必要に応じて個別に操作することができる。
【００４３】
様々な外科用アクセス装置は、創傷プロテクタ、カニューレ、リング開創器、または、組織を貫通する通路を形成するための他の部材（以下、概して開創器と呼ぶ）をさらに含むことができる。開創器は、ハウジングから延びていてよく、また、患者の身体の開口部内部に位置付けられるように構成されることができる。シールポートはそれぞれ、ハウジングを通って延び、かつ開創器と整列された、ワーキングチャネルを定めることができる。本明細書に記載する外科用アクセス装置のいずれも、例えば、様々な他の特徴部、例えば、焼灼器を用いる処置中に煙（smoke）の排出を可能にするための１つ以上の換気ポート、および／または、例えば２００６年１１月２日出願の「Multi-port Laparoscopic Access Device」と題された米国特許出願公開第２００６／０２４７６７３号に記載されるような、１つ以上の吹き込みポートであって、そのポートを通して、外科医が、気腹（pneumoperitenium）を生じるため腹部に吹き込みを行うことができる、１つ以上の吹き込みポートなど、も含んでよく、この特許出願公開は、参照により全体として本明細書に組み込まれる。吹き込みポートは、当業者に認識されるように、あらゆるサイズのものであってよく、ルアーロックまたは針を受け入れることができる。
【００４４】
外科用アクセス装置のいずれの実施形態も、構成要素のいずれかおよび／または組織を貫通して、その中に、また、その周りに位置付けられた１つ以上の安全シールドをさらに含んで、装置を通して挿入されている外科器具による穿刺または引裂きに対する保護を与えることができる。加えて、外科用アクセス装置のすべての実施形態は、外科用アクセス装置の特定の構成要素を必要に応じて取り外し可能とすることができる、係合機構および解放機構を含むことができる。
【００４５】
使用時、本明細書に開示される外科用アクセス装置は、患者の体腔へのアクセスを与えるために使用されうる。開創器は、患者の身体の開口部内部に位置付け可能であってよく、開創器の遠位部分が、患者の体腔内に延び、近位部分が、患者の身体の外部の患者の皮膚に隣接して位置付けられたハウジングに連結される。開創器の内腔が、患者の身体の開口部を貫通する通路を形成することができ、外科器具は、身体の外側から内部体腔に挿入されることができる。患者の皮膚の弾性は、身体開口部または身体に作られた切開部において開創器を保持するのを助けることができる。開創器は、患者の身体内部のあらゆる開口部（自然のオリフィスであっても、切開により作られた開口部であっても）に置かれてよい。例えば、開創器は、経膣的、経皮的などを含め、内視鏡的に臍を通して設置されうる。一実施形態では、開創器は、実質的に可撓性であってよく、開創器は、必要に応じて、組織内へ、また組織内部で容易に操縦されることができる。他の実施形態では、開創器は、剛性または半剛性であってよい。開創器は、当技術分野で既知のあらゆる適切な材料、例えば、シリコーン、ウレタン、熱可塑性エラストマー、およびゴム、で形成されうる。
【００４６】
典型的には、腹部などの体腔における外科処置中、吹き込みが、外科用アクセス装置を通じてもたらされて、体腔を膨張させて、外科処置を容易にする。ゆえに、体腔内部で吹き込みを維持するために、大部分の外科用アクセス装置は、外科器具が外科用アクセス装置を通して挿入されたときに空気および／または気体が流出するのを防ぐため、内部に配された少なくとも１つのシールを含む。様々なシール要素が当技術分野で既知であるが、典型的には、外科用アクセス装置は、中に配された器具の周りにシールを形成するが、器具が中に配されていない場合はシールを形成しない、少なくとも１つの器具シール；器具が中に配されていない場合にシールポートにより作り出されるワーキングチャネルをふさぐ、少なくとも１つのチャネルシールもしくはゼロ閉鎖シール（zero-closure seal）；または、中に配された器具の周りにシールを形成し、また、器具が中に配されていない場合はワーキングチャネルにおいてシールを形成するのに有効な、器具シールとチャネルシールとの組み合わせ物、を含むことができる。例えば、ダックビルシール、コーンシール（cone seals）、フラッパーバルブ、ゲルシール、隔膜シール（diaphragm seals）、リップシール、絞りシールなどを含む、当技術分野で既知の様々なシールが用いられうることを、当業者は認識するであろう。当業者は、シールのあらゆる組み合わせが、本明細書で説明される実施形態のいずれにも含められうること（シールの組み合わせが特定の実施形態の対応する説明で明確に説明されているかどうかにかかわらず）も、認識するであろう。
【００４７】
例示的な実施形態では、図１Ｃおよび図３Ｃに示されるように、器具シールの形のシール要素は、概して、多層円錐形シール２と、円錐形シール２の近位表面３に配される多層保護部材４と、を有することができる。多層円錐形シール２は、一連の重なり合うシールセグメント８を含んでよく、このシールセグメント８は、編まれた構造に組み立てられて、完全なシール本体をもたらす。シールセグメント８は、重ね合わせて積み重ねられるか、または、重なり合うように互いに編まれて、中央開口部６を有する多層シール２を形成することができる。シールセグメント８は、当業者に既知の多くの材料から作られてよいが、例示的な実施形態では、シールセグメント８は、エラストマー材料から形成される。多層保護部材４は、同様に、一連の重なり合うセグメント１０から形成されてよく、セグメント１０は、重なり合うシールセグメント８に対して近位に配されており、シール２の開口部６を通過する外科器具により引き起こされる損傷から、シールセグメント８を保護するように構成されている。保護部材４も、様々な材料から形成されてよいが、特定の例示的実施形態では、保護部材４は、Pellethane（商標）など、成型された熱可塑性ポリウレタンエラストマーから形成される。
【００４８】
シール２および保護部材４を形成するセグメント８、１０は、当技術分野で既知の様々な技術を用いて共に保持されうる。図１Ｃおよび図３Ｃに示されるように、セグメント８、１０は、いくつかのリング部材により共に保持されることができ、これらリング部材は、それらの間でセグメント８、１０を係合させるように結合する。詳細には、保護部材４は、頂部（crown）１２とガスケットリング１４との間で係合され、シール２は、ガスケットリング１４と保持リング１６との間で係合される。ピン１８は、リング部材１２、１４、１６を結合させるため、また、シール２および保護部材４のセグメント８、１０を通って延び、かつセグメント８、１０に係合するため、に用いられうる。いくつかの実施形態では、Ｏリング２０が、保持リング１６とシールポートハウジングとの間に位置付けられて、これらの間の気密・液密シールを確実にすることができる。
【００４９】
完全に組み立てられると、器具シールは、外科用アクセス装置内部で様々な場所に配されることができる。いくつかの実施形態では、器具シールは、外科用アクセス装置のシール基部に形成されたシールポート内部に配されることができる。使用時、器具が、器具シールの中央開口部を通過することができ、シールセグメントは、係合して、器具の外表面の周りでシールを形成して、それによって、流体および気体がシールを通過するのを防ぐことができる。器具が中央開口部を通して配されていない場合、中央開口部は、一般的に、ワーキングチャネルにシールを形成しないが、器具が中央開口部を通して配されていない場合にシールが形成される、他の構成も、考えられる。例示的な器具シール構成は、２００４年３月３１日出願の「Trocar Seal Assembly」と題された米国特許出願公開第２００４／０２３０１６１号、および、２００３年１０月１５日出願の「Conical Trocar Seal」と題された米国特許出願第１０／６８７，５０２号でより詳細に説明されており、これらは、参照により全体として本明細書に組み込まれる。
【００５０】
前記のように、外科用アクセス装置において使用されうる別のシール要素は、チャネルシールまたはゼロ閉鎖シールであり、その例が、図１Ｅに、より詳細に示されている。図示のように、例示されたゼロ閉鎖シールは、ダックビルシール２４の形である。シール２４は、器具がシール２４を通して配されていないときに、ワーキングチャネルにおいてシールを形成するように構成され、ゆえに、外科用アクセス装置を通して体腔に運ばれる吹き込みガスの漏出を防ぐ。図示のように、ダックビルシール２４は、概ね円形のフランジ３４を有してよく、側壁３６がフランジ３４から遠位に延びている。側壁３６の形状は様々であってよいが、例示された実施形態では、側壁３６は、対向するフラップ３５を含み、フラップ３５は、遠位方向に互いに向かってある角度で延びており、また、遠位端部で一体となってシール面３８を形成する。他の実施形態では、対向するフラップ３５は、角度を付けずに（with no angle）互いに向かって延びて、円形フランジ３４に対して平行なシール面３８を形成することができる。対向するフラップ３５は、器具がフラップ３５を通して配されておらず、シール面３８が外科用アクセス装置のワーキングチャネルをふさぐ、閉じた位置と、器具がフラップ３５を通して配されている、開いた位置との間で、シール面３８を動かすように、互いに対して可動であってよい。シールは、２００７年６月２９日出願の「Duckbill Seal with Fluid Drainage Feature」と題された米国特許出願第１１／７７１，２６３号にさらに詳細に記載されるような、様々な他の特徴部を含んでよく、この特許出願は、参照により全体として本明細書に組み込まれる。加えて、シール２４のシール面３８は、当技術分野で既知のあらゆる非線形の形状または構成、例えば、１９９３年１１月１２日出願の「Self Sealing Flexible Elastomeric Valve and Trocar Assembly for Incorporating Same」と題された米国特許第５，３３０，４３７号にさらに詳細に記載されるような、Ｓ字型構成であってよく、この特許は、参照により全体として本明細書に組み込まれる。
【００５１】
本開示によると、シールの一般的な構造は、概して本発明の一部を形成するものではない。したがって、開示される本発明の趣旨から逸脱することなく、当技術分野で既知のあらゆるシール要素およびシール構成が、本明細書に開示される外科用アクセス装置の実施形態で使用されうることを、当業者は当然認識するであろう。
【００５２】
本明細書に開示される実施形態の特に重要な一態様は、例示的な外科用アクセス装置が、吹き込みを維持しつつ、患者内部における外科器具のよりよい操縦性をもたらすことである。一実施形態では、このよりよい操縦性は、互いに異なり、かつシール基部およびハウジングの長さ方向中心軸と異なる、様々な角度で、ハウジングのシール基部を通って延びるアクセスポートまたはシールポートを有することによりもたらされうる。他の実施形態では、このよりよい操縦性は、装置の様々な構成要素の多方向運動を可能にし、それによって、装置を通して配される外科器具の多方向運動を可能にすることにより、もたらされうる。例えば、多方向運動を可能にしうる外科用アクセス装置の構成要素は、シールポート、アクセスポート、シール要素、シール基部、ハウジング、開創器、および外科用アクセス装置と結び付けられることができ、かつ本明細書で説明されるであろう、他の様々な構成要素を含みうるが、これらに限定されない。本明細書で使用される多方向運動とは、概して、回転運動、垂直運動、側方運動、角運動、およびこれらのあらゆる組み合わせを含むことができる。ゆえに、外科用アクセス装置の様々な構成要素のうちいずれか１つは、概して、外科用アクセス装置の様々な他の構成要素のうち１つ以上に対して、かつ／または、患者の身体に対して、多方向運動を有することができ、それによって、外科器具が患者の身体に対して、また患者の身体内で動かされ扱われうる、多くの方法を可能にする。本明細書に記載される外科用アクセス装置の実施形態の様々な態様および特徴のいずれも、様々な他の実施形態のすべて、または、当技術分野で既知の様々な装置において使用され、また適用されうることが、当業者に認識されるであろう。
【００５３】
図１Ａ〜図１Ｄに示される一実施形態では、外科用アクセス装置５０であって、様々な角度方向で、外科用アクセス装置５０を通って延びる複数のシールポート５２を有する、外科用アクセス装置５０が提供される。外科用アクセス装置５０は、シールポート５２を支持するシール基部５４を備えたハウジング５６と、ハウジング５６から延びる開創器５８と、を有することができる。任意の数のシールポート５２がシール基部５４に形成されうるが、図１Ａ〜図１Ｄに示される実施形態では、３つのシールポート５２が外科用アクセス装置５０の中を延びている。シールポート５２は、その内部に配されたシール要素６０を含んでよく、シールポート５２は、以下にさらに詳細に論じるように、互いに異なり、かつハウジング５６の長さ方向中心軸と異なる、様々な角度で、シール基部５０内部に形成されることができる。このような構成により、外科器具が様々な角度方向でシールポート５２を通して挿入される際の外科器具間の干渉を防ぐことができ、また、器具の位置付けを容易にすることができる。
【００５４】
図１Ｃは、外科用アクセス装置５０の様々な構成要素を示す。図示のように、ハウジング５６は、実質的に剛性の円筒形もしくは円形の部材であってよく、この部材は、その外周部の周りに延びる外側ねじ山（outer threads）７２を有し、ねじ山７２は、ハウジング５６の近位部分を形成するシール基部５４の内側ねじ山７０とネジ式に結合する（threadedly mate）ように構成されている。必要に応じて可撓性または剛性であってよいハウジングＯリング７４が、ハウジング５６の頂部表面７６に位置付けられて、ハウジング５６とシール基部５４との間に座部およびシールを形成することができる。一実施形態では、シール基部５４は、内側ねじ山７０および外側ねじ山７２の結合により、ハウジング５６にネジ式に固定されることができ、ハウジングＯリング７４は、シール基部５４とハウジング５６との間で固定される。シール基部５４は、近位表面６２であって、シールポート５２を受容するための、近位表面６２を貫通して形成されたポート開口部６４を備えた、近位表面６２と、近位表面６２から遠位に延びる周辺壁６６と、を有しうる。当技術分野で既知のあらゆる取り付け機構または結合機構が、外科用アクセス装置５０の様々な構成要素を互いに結合させるのに用いられてよいが、図１Ａ〜図１Ｄに示される実施形態では、ポート開口部６４の内周部が、シールポート５２とネジ式に結合するよう、この内周部に形成された内側ねじ山６８を有することができる。加えて、周辺壁６６の内周部は、ハウジング５６とネジ式に結合するよう、この内周部に形成された内側ねじ山７０を有しうる。
【００５５】
前記のように、開創器５８は、ハウジング５６から延びることができ、一実施形態では、開創器５８は、近位フランジ７８および遠位フランジ８０を有する実質的に可撓性の部材であり、細長い内側部分８２が、近位フランジ７８と遠位フランジ８０との間に延在している。近位フランジ７８は、ハウジング５６の遠位リム８４を収容するように構成されてよく、近位Ｏリング８６が、近位フランジ７８とハウジング５６の遠位リム８４との間に位置付けられうる。ハウジング５６の遠位リム８４は、接着剤、シーラント、または当技術分野で既知のあらゆる他の取り付け機構によって、開創器５８の近位フランジ７８および近位Ｏリング８６に取り付けられることができる。一実施形態では、近位フランジ７８は、内表面９２の周りに延びるねじ山９０を有する、その外周部から近位に延びるリップ８８によって、ハウジング５６に結合されることができる。ねじ山９０は、ハウジング５６の外側ねじ山７２とネジ式に結合するように構成されてよく、それによって、開創器５８がハウジング５６に固定される。遠位Ｏリング９４は、オプションとして、開創器５８の遠位フランジ８０内部に位置付けられて、患者の身体内部で開創器に構造的支持を与えることができる。近位Ｏリング８６および遠位Ｏリング９４は、特定の適用に用いられるよう、必要に応じて、可撓性、または実質的に剛性であってよい。
【００５６】
前記のように、任意の数のシールポート５２が、外科用アクセス装置５０内部に形成されてよく、また外科用アクセス装置５０を通って延びることができる。概して、各シールポート５２は、シール基部５４のポート開口部６４内部に収容されうるポートハウジング９６と、ポートハウジング９６内部に位置付けられうるシール要素６０と、を含むことができる。ポートハウジング９６は、以下で詳細に説明するように、当技術分野で既知のあらゆる形状、高さ、または角度構成を有してよいが、図１Ａ〜図１Ｄに示される実施形態では、ポートハウジング９６は、円筒形状を有しうる。ポートハウジング９６の遠位表面９８は、実質的に平坦であってよく、遠位表面９８は、シール基部５４の近位表面６２と共面である。ポートハウジング９６の近位表面１００は同様に平坦であってよく、あるいは、シール基部５４の近位表面６２に対してある角度で延びてよい。ポートハウジング９６の近位表面１００が延びる角度により、以下で論じるように、シールポート５２の長さ方向軸１１２の角度方向が決定されうる。ポートハウジングの遠位表面９８は、様々な結合技術を用いて、シール基部５４に結合されることができる。図１Ｃに示されるように、遠位表面９８は、シール基部５４における開口部６４に係合するため、外面の周りに形成されたフランジ１０４を有する偏向可能部材を備えた延長部分１０２を有する。フランジ１０４は、以下に論じるように、ポートハウジング９６を回転させることができる。ポートＯリング１０６は、延長部分１０２の周りを延びる孔１０８内部に置かれて、ポートハウジング９６がハウジング６４の開口部とネジ式に結合されたときにポートハウジング９６とシール基部５４との間をふさぐのを容易にすることができる。開口部１１０が、シール要素６０、例えば器具シールを受容するため、ポートハウジング９６を貫通して延びることができる。
【００５７】
図１Ｄに最も明瞭に示されるように、ポートハウジング９６の形状により、シール要素６０は、シール基部５４に対してある角度で位置付けられ、その中央部分を通って延びるシール要素６０の中心軸１１２は、シール基部５４、ハウジング５６、および開創器５８の長さ方向中心軸１１４に対して角度を成す。これにより、外科器具１１６は、特定の処置で必要に応じて様々な角度で挿入されることができる。いくつかの実施形態では、シールポート５２のすべてが、互いに異なる中心軸１１２を有するように構成されることができる。他の実施形態では、２つ以上のシールポート５２が、互いに同じ中心軸１１２であって、第３、第４などのシールポート５２に対して異なる、中心軸１１２を有しうる。
【００５８】
前記のように、いくつかの実施形態では、シールポート５２は、シール基部５４に対して回転可能であってよい。傾斜したシールポート５２の回転により、軸１１２、ゆえに、シールポート５２によりもたらされる挿入角度が、変更および調節されることができる。このようにして、シールポート５２は、外科器具をシールポート５２に通して挿入する前または後で、回転させられて、器具を扱うため、開口部の周りにさらなる空間を与え、かつ／または、組織に対する、また、アクセス装置を通して挿入される他の器具に対する、器具のよりよい操縦性を与えることができる。
【００５９】
いくつかの実施形態では、２つ以上のシールポート５２が、図２Ａおよび図２Ｂに示されるように、単一の回転可能ステージ１１８に位置付けられうる。回転可能ステージ１１８は、シール基部５４に形成された円形開口部内部に回転可能に配された円形体であってよい。前記のように周りにフランジを有する偏向可能部分を備えた延長部など、様々な結合技術が、シール基部５４の開口部内部でステージ１１８の回転を可能にするために用いられうる。使用時、ステージ１１８は、シールポート５２が、図２Ａに示されるような三角形の構成から、図２Ｂに示されるような直線に並んだ構成、ならびにそれら構成間のあらゆる位置、まで動かされることを可能にすることができる。同時に複数のシールポート５２を回転させることにより、外科用アクセス装置５０周辺のよりよい操縦性が与えられることができ、かつ／または、外科器具が個々のシールポート５２内に挿入される間に外科器具の位置を変えることが可能となりうる。当業者に認識されるように、任意の数のシールポート５２が、シール基部５４上の個々の回転可能ステージ１１８に形成されて、シールポート５２のグループを、他のシールポート５２、シール基部５４、および／またはハウジング５６に対して回転させることができる。
【００６０】
他の実施形態では、シールポート５２は、ポートハウジング９６の少なくとも一部を可撓性コネクタ、例えばベローズから形成することにより、シール基部５４に対して、垂直に、側方に、また、角度を付けて、調節可能とすることができる。可撓性コネクタすなわちベローズにより、ポートハウジング９６内部に位置付けられたシール要素６０が、必要に応じて、垂直に、側方に、回転して、また、角度を付けて、動かされて、外科器具の挿入角度または体腔内部における外科器具の位置を調節することができる。
【００６１】
いくつかの実施形態では、コネクタ１２０は、図３Ａ〜図３Ｄに示されるように、ハウジング５６と開創器５８との間に位置付けられうる。コネクタ１２０は、概して、ハウジング５６およびシール基部５４が開創器５８に対して動くことを可能にする要素であってよい。例えば、コネクタ１２０は、ハウジング５６、それによってシール基部５４およびシールポート５２が、開創器５８に対して最大範囲の運動を有することを可能にする、実質的に可撓性の細長い部分および／またはベローズであってよい。一実施形態では、コネクタ１２０は、コネクタ基部１２２を有してよく、コネクタ基部１２２は、コネクタ１２０を収容し、コネクタ１２０を、開創器５８の近位フランジ７８と結合させる。コネクタ１２０の近位部分１２４は、接着剤、シーラント、ねじ山などを含むがこれらに限定されない、当技術分野で既知のあらゆる結合機構によって、ハウジング５６の遠位リム８４と結合しうる。同様にして、コネクタ基部１２２およびコネクタ１２０は、当技術分野で既知のあらゆる結合機構により連結されうる。加えて、コネクタ基部１２２は、開創器５８のリップ８８とネジ式に、または回転可能に、結合されることができる。
【００６２】
図４Ａおよび図４Ｂに示される別の実施形態では、ラッチ、リビングヒンジ（living hinge）、またはクリップ１２４が用いられて、コネクタ１２０の一部分を動きに抵抗して固定し、それにより、開創器５８に対する、ハウジング５６およびシール基部５４の、より容易な角度調節を可能にすることができる。図示のとおり、クリップ１２４は、ハウジング５６の片側を、開創器５８の対応する側に固定して、それにより、接続点の周りをコネクタ１２０が旋回するにつれて、コネクタ１２０の、対向部分を膨張させることができる。いくつかの実施形態では、コネクタ１２０は、コネクタ１２０が膨張され動かされるときに開創器５８が身体の開口部内部に固定されたままであることを確実にするために、開創器５８よりも可撓性を有してよい。図４Ｂに示されるように、垂直運動、側方運動、回転運動、または角運動のいずれにしろ、あらゆる運動により、挿入角度および／またはシールポート５２の位置を、開創器５８に対して変更および調節することができる。
【００６３】
図５Ａ〜図５Ｃに示されるものなど、他の実施形態では、シール基部１５４と実質的に平行なシールポート１５２を有する外科用アクセス装置１５０が提供される。シールポート１５２はそれぞれ、ポートハウジング１５８を有してよく、ポートハウジング１５８は、内部に配されるシール要素１５６の直径よりも大きな直径を有する。シール要素１５６は、ポートハウジング１５８内部に位置付けられてよく、シール要素１５６が、ポートハウジング１５６のより大きな直径内部で動くことができる。図５Ｃに最も明瞭に示される一実施形態では、シール要素１５６は、シール要素１５６をポートハウジング１５８内部で側方に動かすように伸び、また寄り集まることができる、ベローズ様構造体または可撓性膜１６４に取り付けられうる。ゆえに、シール要素１５６は、ポートハウジング１５８に対して側方に浮動することができ、また、シール基部１５４に平行な平面内で複数の方向に動くことができる。このような構成により、シール要素１５６を必要に応じて開創器１６２に対して動かすことによって、開創器１６２が中を延びる、身体を貫通したより小さな切開部が得られる。例示的な可動の浮動するシールの構成は、参照によりすべてが本明細書に組み込まれる以下の刊行物に、より詳細に記載されている：「Reinforced Seal Assembly」と題された２００４年９月１７日出願の米国特許出願公開第２００５／００７０９４６号；「Pleated Trocar Seal」と題された２００６年４月１８日出願の米国特許出願公開第２００７／０２５５２１８号；「Trocar with Floating Septum Seal」と題された１９９３年６月１５日出願の米国特許第５，３８５，５５３号；および「Trocar Valve Assembly」と題された１９９４年５月１９日出願の米国特許第５，４９６，２８０号。
【００６４】
図５Ａおよび図５Ｂに示された実施形態は、図３Ａおよび図３Ｂに関して先に述べたように、また図６Ａおよび図６Ｂに示されるように、コネクタ１５１を含むことができる。このような構成により、ハウジング１６０およびシール基部１５４がコネクタ１５１によって開創器１６２に対して垂直に動かされて、開創器１６２に対するシールポート１５２の高さを変える。ハウジング１６０およびシール基部１５４は、例えば図６Ａおよび図６Ｂに示されるように、コネクタ１５１によって側方に動かされて、シールポート１５２の位置を開創器１６２に対して移動させることもできる。図示のように、コネクタ１５１は、シールポート１５２を側方に動かして開創器１６２と整列させ、外科器具の挿入をより容易にすることができる。ハウジング１６０は、シールポート１５２の回転位置を変更するために、コネクタ１５１を介して、制限された回転運動をさらに有することができる。当業者に認識されるように、ハウジングは、特定の適用において必要に応じて、コネクタ１５１を介して垂直運動、側方運動、および回転運動のあらゆる組み合わせを有することができる。
【００６５】
図７Ａおよび図７Ｂに示される別の実施形態では、外科用アクセス装置１７０は、シール基部１７４に形成されたポート１８０に回転可能に設置された、回転可能なシールポート１７２を含むことができる。シールポート１７２は、シール要素１７８が、ポートハウジング１８０との角度方向を変えることができるように、１つ以上のジンバル機構１７６を有することができる。ジンバル機構１７６は、例えば、平坦な頂部および底部、ならびに頂部と底部との間に延在する開口部を備えた、概ね球形の部材であってよく、シール要素１７７が開口部にわたって延びている。図示のように、ジンバル１７６およびシール要素１７８は、ポートハウジング１８０内部で多軸的に回転することができ、多方向の角度転置が可能となる。図７Ｂに示されるように、ジンバル１７６、ゆえにシール要素１７８の旋回運動は、シール要素１７８の長さ方向中心軸を変えるのに有効であり、シール要素１７８を通して挿入された器具のよりよい操縦性を可能にする。
【００６６】
図８Ａ〜図８Ｄに示されるさらに別の実施形態では、蝶番式のシール基部２０４を備えたハウジング２０２を有する外科用アクセス装置２００が提供される。１つ以上のシールポート２０６は、蝶番式のシール基部２０４を通って延びることができ、シールポート２０６を通して外科器具を受容するように構成されうる。蝶番式のシール基部２０４は、シール基部２０４内部に位置付けられたヒンジ２１０によって、ハウジング２０２の頂部開口部２０８に対して様々な角度構成間で選択的に移動可能とすることができる。ヒンジは、シール基部２０４のどこに位置してもよく、任意の数のポートが、ヒンジの片側または両側に位置付けられて、ポートの角度調節を可能にすることができる。より低い外形の構成では、シールポート２０６は、ハウジング２０２の頂部開口部２０８の中心軸に実質的に平行な中心軸２１２を有することができる。シールポート２０６は、図８Ａ〜図８Ｃに示されるもののような、より高い外形の構成に動かされることができ、この高い外形の構成では、シールポート２０６の中心軸２１２が、ハウジング２０２における開口部２０８の中心軸に対して角度を形成する。このようにして、シールポート２０６の角度方向は、蝶番式のシール基部２０４の位置を単に変えることによって、変更および調節されうる。蝶番式のシール基部２０４が、必要に応じて、低い外形の構成と高い外形の構成との間のあらゆる位置でロックまたは保持されうることが、認識されるであろう。当技術分野で既知のラッチ、スイッチ、または他のロック機構が用いられてよい。
【００６７】
いくつかの実施形態では、当業者に認識されるように、任意の数のシールポート２０６が、蝶番式のシール基部２０４の各セクション２１６ａ、２１６ｂに配されてよい。加えて、複数の可動表面を準備する（allow for）よう、シール基部２０４に形成された１つ以上のヒンジ２０４があってよい。一実施形態では、可撓性膜または他の伸縮自在および／もしくは可撓性材料が用いられて、蝶番式のシール基部２０４をハウジング２０２と接続して、蝶番式のシール基部２０４を低い外形構成と高い外形構成との間で動かす間に気密・液密シールが維持されることを確実にすることができる。蝶番式のシール基部２０４とハウジング２０２との間でシールを維持しながら蝶番式のシール基部２０４をハウジング２０２に対して動かすために、様々な他の技術が用いられうることを、当業者は認識するであろう。
【００６８】
本明細書に記載されるアクセスポート、シールポート、および／またはシール要素のすべては、外科用アクセス装置のシール基部およびハウジング内部で、様々な垂直な向きに位置付けられることもできる。例えば、図９Ａに示されるように、高くしたシールポート２２０がシール基部２２２の上に位置付けられて、シールポート２２０を通して挿入された外科器具が、シール基部２２２を通って移動しハウジング２２６に入る前に、シール要素２２４を通って移動することになる。図９Ｂに示される別の実施形態では、シールポート２２８は、シール基部２３２と同一平面にあるかまたはシール基部２３２と平行であり、シールポート２２８を通して挿入された外科器具は、シール基部２３２に入ると同時にシール要素２３０に入る。図９Ｃに示されるさらなる実施形態では、シールポート２３６は、シール基部２４０の近位表面２３８より下で、奥まった位置にあってよい。斜めのガイド２４２が、奥まったシールポート２３６の中に外科器具を導いて、器具の正確な挿入を容易にすることができる。
【００６９】
加えて、図９Ｄに示されるように、複数のシールポート２４４ａ、２４４ｂ、２４４ｃは、シール基部２４６に対して様々な高さで構成されることもできる。例えば、シールポート２４４ａおよび２４４ｂの近位表面、ならびにこれらシールポートに配されたシール要素は、シール基部２４６に対して同じ高さで互いに実質的に同一平面に位置付けられてよいが、シールポート２４４ｃの近位表面、ならびにこのシールポートの中のシール要素は、シールポート２４４ａおよび２４４ｂより低く位置付けられる。異なる高さ、かつ／または互いに平面外（off-plane）であるシールポートおよびシール要素を用いることにより、シールポート、したがって、使用される器具類（instrumentation）の長さ方向軸が互いに近接することができ、それによって、小さな切開部、または、組織のより小さな開口部での使用が可能となる。一実施形態では、平面外のシールポートは、シールポートおよび／またはシール要素の縁部を重ね合うことによって、より大きなシールポートおよび／またはシール要素を同じ空間内で使用することを可能にすることができる。これは、シールポートおよびシール要素が異なる平面上にあってよいためである。加えて、標的組織を引っ込める間、平面外のシールポートは、シールポートと共に使用される予定の器具類に応じて、あつらえの角度（custom angle）を与えることができる。他の実施形態では、平面外にあるのではなく、シールポートのうちいずれか１つ、またはすべてが、平らな側壁を有して、シールポートがシール基部内部で互いにより近接して位置付けられることを可能にすることができる。当業者に認識されるように、例示的な外科用アクセス装置は、任意の数の垂直な向きにあるシールポートを有してよく、これには、すべてのシールポートが、異なる垂直高さにあることが含まれる。加えて、任意の数のシールポートが、必要に応じてあらゆる構成で、シール基部内部で側方に、間隔をあけて、位置付けられることができる。シールポートはまた、先に論じたように、基部の平面に対して横向きの平面において延びることもできる。
【００７０】
図１０Ａ〜図１０Ｄに示される別の例示的実施形態では、ハウジング２６６と結合された円筒形状のシール基部２５２を有しており、奥まった３つのアクセスポートもしくはシールポート２５４ａ、２５４ｂおよび２５４ｃが中を延びる、外科用アクセス装置の近位部分２５０が提供される。シールポート２４２ａ、２５４ｂのうち２つは、第１の直径Ｄ１を有してよく、第３のシールポート２５４ｃは、第１の直径Ｄ１より大きくてよい第２の直径Ｄ２を有することができる。ある例示的な実施形態では、第１の直径Ｄ１は約３ｍｍであり、第２の直径Ｄ２は約５ｍｍである。任意の数のシールポートがシール基部２５２内部に配されていてよく、シールポートは、必要に応じて直径のあらゆる組み合わせを有してよいことを、当業者は認識するであろう。図示のように、シールポート２５４ａ、２５４ｂ、２５４ｃは、シール基部２５２内へと奥まっていてよく、シール基部２５２の近位表面２５６は実質的に平らである。ガイド２５８が、外科器具をシール要素の中へ、例えば、シールポート２５４ａ、２５４ｂ、２５４ｃ内部に配された器具シール２６０およびチャネルシール２６２の中へと導くことができる。
【００７１】
シール基部２５２および／またはハウジング２６６は、チャネルシール開口部２６４がハウジング２６６から延びる開創器（不図示）と接触するのを防ぐように、チャネルシール２６２の全長を受容するための高さＨを有することができる。この構成により、シール基部２５２およびハウジング２６６が開創器に対して動かされたときに、開創器の側壁が、チャネルシール開口部２６４に接触することおよびチャネルシール開口部２６４を開くこと、を防ぐことができる。他の実施形態では、シール基部２５２およびハウジング２６６は、チャネルシール２６２の長さ方向長さより短い全長Ｈを有しうる。このような構成では、各チャネルシール開口部２６４は、開創器との接触を最小限にするように方向付けられることができる。例えば、各シール開口部２６４は、図１０Ｂに示されるように、シール基部２５２、ハウジング２６６、およびハウジング２６６から延びる開創器の周縁部に対して接線方向に整列されうる。言い換えれば、開口部は、ハウジング２６６の周縁部に実質的に平行な方向であって、ハウジング２６６に対して横向きではない、方向に、延びることができる。このような整列は、シール基部２５２およびハウジング２６６が開創器に対して動かされたときに、チャネルシール開口部２６４が、開創器の側壁により押し開かれるのを防ぐことができる。ダックビルシールが図示されているが、非線形シール要素、例えばＳ字型開口部を備えたシール要素、を含む、当技術分野で既知のあらゆるシール要素が、このような方法で整列されうることを、当業者は認識するであろう。
【００７２】
図１１Ａに示される別の実施形態では、複数のアクセスポートもしくはシールポート２７２が中を延びる、シール基部２７０が提供される。シールポート２７２のうち１つ以上が、非円形状開口部を備えたポートハウジング２７４および／またはシール要素２７６を有して、非円形断面を有する外科器具２７８を受容することができる。非円形状のシールポート２７２は、長円形、三角形、四辺形、多角形などを含むがこれらに限定されない、当技術分野で既知のあらゆる形状を有することができる。各ポートハウジング２７４および／またはシール要素２７６は、シール基部２７０に対して回転可能であってよく、外科器具２７８の非円形シャフトがこれらを通して挿入されると、シールポート２７２は、回転して、外科器具２７８の断面形状と整列した状態にシールポート２７２自体を方向付けることができる。一実施形態では、シールポート２７２は、ベローズコネクタまたは他の可撓性部材２８０を用いてシール基部２７０に取り付けられて、シールポート２７２をシール基部２７０に対して垂直に、かつ／または側方に動かすことができる。
【００７３】
図１１Ｂに示される別の実施形態では、シール基部２８２が提供され、シール基部２８２は、その中を延びる複数のシールポート２８４を有する。シールポート２８４はそれぞれ、内部に配されたシール要素２８６を有することができる。シールポート２８４は、ポートハウジング２８３を有してよく、ポートハウジング２８３は、このポートハウジング２８３が、シール基部２８２に対して垂直に、側方に、また角度を付けて、動くことができるように、可撓性である。いくつかの実施形態では、シールポート２８４および／またはポートハウジング２８３の少なくとも一部は、波形にされてよく、かつ／あるいは、ベローズまたは他の可撓性材料もしくは可撓性機構で形成されてよい。シールポート２８４はそれぞれ、Ｃクランプ２８８などの解放機構も有してよく、解放機構は、シール要素２８６またはシールポート２８４の他の構成要素を除去して、検体または他の物体を中に通す。ポートハウジング２８３はまた、図示のように高さが様々であってよい。当業者は、ポートハウジング２８６をシール基部２８２に対して動かすために使用されうる様々な可撓性部分を認識するであろう。
【００７４】
図１２Ａ〜図１２Ｄに示される別の実施形態では、可撓性シール基部３０２と、ハウジング３０４と、を有する、外科用アクセス装置３００が提供される。可撓性シール基部３０２は、外科器具を受容するため、シール基部３０２を貫通して形成された１つ以上のアクセスポートもしくはシールポート３０６を有してよい。可撓性シール基部３０２はあらゆる形状を有してよいが、例示された実施形態では、概ねドーム型であり、フランジ３０８が、その遠位周縁部の周りに延びていて、以下で説明するように、ハウジング３０４と噛み合うように構成されている。その結果、可撓性シール基部３０２は、凹状構成であって、可撓性シール基部３０２が、図１２Ａおよび図１２Ｂに示されるように、ハウジング３０４から近位に延びる、凹状構成と、凸状構成であって、可撓性シール基部３０２が、図１２Ｃおよび図１２Ｄに示されるように、ハウジング３０４の中へと遠位に延びる、凸状構成と、を有する。可撓性シール基部３０２は、必要に応じて凸状構成と凹状構成との間を選択的に動かされて、シールポート３０６のうち１つ以上を新しい方向に向けることができる。
【００７５】
シールポート３０６は、様々な技術を用いて、可撓性基部３０２に形成されるかまたは配されることができる。例示された実施形態では、各シールポート３０６は、シール要素３０３を支持する剛性リング型部材の形であり、シール要素３０３は同様に剛性リング型構造体３０５を含みうる。シール要素３０３周辺のリング３０５は、可撓性基部３０２のシールポート３０６を形成する剛性リング３０５内部に固定的に、または可動に、設置されることができる。
【００７６】
一実施形態では、可撓性シール基部３０２が凸状構成にある場合、シールポート３０６は、外科器具が特定の角度または向きで挿入されるように、第１の中心軸３１０を有することができる。可撓性シール基部３０２が凹状構成に向けて動かされるか、または凹状構成になるまで動かされると、シールポート３０６は、外科器具が凸状構成の場合とは異なる角度または向きで挿入されるように、第２の中心軸３１２に向けて、または第２の中心軸３１２まで移行しうる。可撓性シール基部３０２が凸状構成にある場合、シールポート３０６の中心軸は、概して、可撓性シール基部３０２およびハウジング３０４の中心に向けて遠位方向に方向付けられる。可撓性シール基部３０２が凹状構成になるまで動かされると、シールポート３０６の中心軸は、概して、可撓性シール基部３０２およびハウジング３０４の中心から外側に遠位方向に向けられうる。図示のように、シールポート３０６は、可撓性シール基部３０２が凸状構成にあるときは、概して、ハウジング３０４に対して近位に位置させられうる。凹状構成では、シールポート３０６は、概して、ハウジング３０４の中へ延びることができる。
【００７７】
一実施形態では、基部３０２を支持するハウジング３０４は、実質的に剛性であってよいが、特定の適用では必要に応じて可撓性であってもよく、また、形状が概ね円筒形または管状であってよいことが、認識されるであろう。ハウジング３０４は、同心に位置付けられ、かつ互いに重ね合わせられた、外部構成要素３１４および内部構成要素３１６を有することができる。可撓性シール基部３０２のフランジ３０８は、フランジ３０８に形成された穴３２０が近位リム３１８に形成された対応する穴３２２と整列するように、内部構成要素３１６の近位リム３１８上に位置付けられ、また、方向付けられることができる。外部構成要素３１４は、外部構成要素３１４の中心に向かって延びる最近位リム３２６上のフランジ３２４を有することができる。フランジ３２４は、フランジ３２４から遠位に延びる柱３２８であって、可撓性シール基部３０２および内部構成要素３１６に結合するように構成された、柱３２８を有することができる。外部構成要素３１４は、柱３２８が可撓性シール基部のフランジ３０８および内部構成要素のリム３１８の、整列した穴３２０、３２２に係合して、それらの穴を通って延びるように、内部構成要素３１６の上および周辺に位置付けられて方向付けられることができる。このようにして、外部構成要素３１４は、同心の２つの構成要素３１４、３１６間で可撓性シール基部のフランジ３０８を固定することができる。当業者は、可撓性シール基部３０２のリムをハウジング３０４に固定するために、様々な他の結合および固定機構が使用されうることを、認識するであろう。
【００７８】
一実施形態では、ハウジング３０４の内部構成要素３１６の遠位部分３３０は、開創器３３４と結合するため、その外部の周辺に形成されたねじ山３３２を有しうる。Ｏリング３３６が、内部構成要素３１６の遠位部分３３０と開創器３３４の近位フランジ３３８との間に位置付けられて、それらの間における気密・液密シールを確実にすることができる。開創器３３４の近位フランジ３３８は、近位に延びる周囲リップ３４０を有してよく、リップ３４０は、その内周部の周りに延びるねじ山３４２を有しうる。内部構成要素３１６の、ねじを切られた遠位部分３３０は、開創器３３４のリップ３４０の中へ進められることができ、それにより、ハウジング３０２を開創器３３４と固定する。
【００７９】
他の例示的な実施形態では、本明細書で論じられた外科用アクセス装置の実施形態、ならびにそのあらゆる組み合わせのすべてが、気腹を失うことなく、シールポートのサイズ、形状または向きを変えるように、シールポートのうち少なくとも１つに取り外し可能に結合可能なアダプタを有することができる。図１３Ａおよび図１３Ｂに示す一実施形態では、アダプタ３５０は、シール基部３５２の一部に回転可能または旋回可能に取り付けられてよく、また、シールポート３５４の特徴を変更するように、シールポート３５４に隣接して選択的に位置付け可能であってよい。詳細には、図１３Ａおよび図１３Ｂに示される実施形態では、アダプタ３５０は、シール基部３５２内部に配されたシールポート３５４の有効径を変えるための、サイズ決定アダプタ（sizing adapter）である。アダプタ３５０は、開いた構成と閉じた構成との間で動くことができるように、シール基部３５０の外周部３５６の一部に旋回可能に取り付けられることができる。開いた構成では、アダプタ３５０は、図１３Ａに示されるように、シールポート３５４の開口部から離れて位置付けられてよい。閉じた構成では、アダプタ３５０は、ヒンジ３５８によって旋回または回転されることができ、アダプタ３５０が、シールポート３５４の開口部３６０の上に位置付けられ、それにより、シールポート３５４の有効径が変わる。例えば、開いた構成では、シールポート３５４は、１２ｍｍの直径を有する外科器具を受容することができる。閉じた構成では、アダプタ３５０は、シールポート３５４に、５ｍｍの直径の外科器具を受容させることができる。当業者は、必要に応じてこのようなアダプタ３５０についてあらゆるサイズ調節が行われうることを認識するであろう。
【００８０】
他の実施形態では、アダプタは、シールポートの有効形状を変えることができる。例えば、シールポートは、アダプタが開いた構成にあるときに円形断面を備えた器具を受容するために円形状を有することができる。閉じた構成では、アダプタは、シールポートに、三角形、長円形、四辺形、および／または他の多角形などの非円形断面を有する外科器具を受容させることができる。加えて、アダプタは、シールポートの有効な向き変更を可能にすることもできる。当業者に認識されるように、形状およびサイズ変更は、必要に応じて、単一のアダプタに組み合わせられることができる。
【００８１】
これも当業者により認識されるように、本明細書に開示されたシール基部およびハウジングの実施形態のすべてが、必要に応じて互いと交換可能であってよい。例えば、キットは、１つ以上の開創器と共に複数のハウジングおよびシール基部を含むことができる。各シール基部およびハウジングの組み合わせは、その中を延びる、異なるサイズ、形状および／または角度のシールポートを有してよく、外科医は、必要に応じてハウジングおよびシール基部を能動的に変更することができる。以下で詳細に説明するものなどの解放機構が、様々なシール基部およびハウジングを開創器に解放可能に取り付けるのに使用されうる。
【００８２】
当業者は、本明細書に開示された様々な特徴部が、単一のポートアクセス装置に同様に組み込まれうることも認識するであろう。図１４Ａ〜図１４Ｄは、トロカール組立体３７０の形をとる外科用アクセス装置の別の実施形態を示しており、トロカール組立体３７０は、ハウジング３７２、およびハウジング３７２から延びる可撓性カニューレ３７４を有する。ハウジング３７２は、内部に配されたシール要素３７６を有してよく、シール要素３７６は、ハウジング３７２に対して回転可能であり、トロカールハウジング３７２および可撓性カニューレ３７４の回転を必要とすることなく、シール要素３７６内部に挿入された装置の回転および調節を可能にする。例えば、内視鏡がトロカール組立体３７０を通して挿入された場合、シール要素３７６は、内視鏡と共に、また、ハウジング３７２および可撓性カニューレ３７４から独立して、回転して、内視鏡で見ているものを調節することができる。
【００８３】
図１４Ｃに示す一実施形態では、弾性外側リング３７５内部に位置付けられた環状ディスク３７３を有する回転可能なシール３７１が提供される。環状ディスク３７３は、可撓性または剛性であってよく、シール要素３８８が環状ディスク３７３内に配されていてよく、開口部３８９が外科器具を受容するためにシール要素３８８を貫通して形成されている。環状ディスク３７３は、環状ディスク３７３と外側リング３７５との間に延びるフランジなど、当技術分野で既知のあらゆる結合機構によって、弾性外側リング３７５に結合されうる。弾性外側リング３７５は、トロカール組立体３７０のハウジング３７２に形成された溝内部に位置付けられてよく、それによって、ハウジングを通して挿入された外科器具周辺のシールを維持しながら、回転可能なシール３７１をハウジングに対して回転させる。
【００８４】
図１４Ｄに示す別の実施形態では、トロカール組立体３７０のハウジング３７２内部に位置付けられうる環状ディスク３８２を有する、回転可能なシール３８０が提供される。環状ディスクは、その中に位置付けられたシール要素３９０を有してよく、開口部３９１が、外科器具を受容するためシール要素３９０を貫通して形成されている。環状ディスク３８２は、環状ディスク３８２とハウジング３７２との間にシールを形成するため、その頂部表面３８５および底部表面３８７に配された頂部Ｏリング３８４および底部Ｏリング３８６を有することができる。環状ディスク３８２は、ハウジング３７２に対して回転することができるが、Ｏリング３８４、３８６は、それらの間でシールを維持する。トロカール組立体３７０のハウジング３７２内部で回転可能なシールを作り出すために、様々な機構が用いられうることを、当業者は認識するであろう。
【００８５】
トロカール組立体３７０は、可撓性カニューレ３７４に対する操縦制御をもたらすためのケーブルまたは他の操縦機構など、他の特徴部も含むことができる。この場合、可撓性カニューレ３７４、および可撓性カニューレ３７４を通してシール要素３７６内部に挿入された器具は、必要に応じて、独立して可動かつ制御可能であることができる。
【００８６】
外科器具が本明細書に記載される外科用アクセス装置の実施形態を通して挿入されると、特に鋭い器具が、開創器または近くの組織の一部を引裂くかまたは穿刺するかもしれないというリスクが存在することがある。したがって、本明細書に記載される実施形態のすべてにおいて、安全シールドが、オプションとして含まれて、外科器具による引裂きまたは穿刺のリスクを軽減することができる。概して、シールドは、器具を通過しやすくするように比較的滑らかであるが、引裂きおよび穿刺に抵抗する、材料であってよい。例えば、シールドは、シリコーン、ウレタン、熱可塑性エラストマー、ゴム、ポリオレフィン、ポリエステル、ナイロン、フルオロポリマー、および当技術分野で既知のあらゆる他の適切な材料で形成されることができる。シールドは、概して、開創器または組織にライナーを与えることができ、また、外科用アクセス装置から切り離し可能とすることができるので、特定の処置で必要に応じて使用されうる。
【００８７】
図１５Ａ〜図１５Ｃに示す例示的な一実施形態では、シール基部４０２を有する外科用アクセス装置４００が提供され、複数のシールポート４０４がシール基部４０２を通って延びている。外科用アクセス装置４００はまた、シールド４０６、および開創器４０８を含みうる。図示のとおり、シールド４０６は、開創器４０８を通って延びて、それによって、外科器具が装置を通して挿入される際に保護的な裏張り（protective lining）を与えることができる。シールド４０６は、開創器の長さ４０８に対応する長さを有しうるが、特定の適用に応じて、開創器の長さよりもかなり長い長さを有することもできる。開創器４０８およびシールド４０６は、ハウジング４１０に結合されうる。例えば、開創器４０８は、ハウジング４１０の遠位部分４１２に結合されうる近位フランジ４１４を有することができる。当技術分野で既知のあらゆる結合機構、例えば、接着剤、ネジ、圧入など、が用いられてよい。シールド４０６は、ハウジング４１０の近位部分４２０に形成された孔４１８内部に設置されうる近位フランジ４１６を有することができる。ハウジング４１０は、ハウジング４１０へのシール基部４０２の選択的な取り付けを容易にしうるラッチ４２２を有することができる。係合されると、ラッチ４２２は、シール基部４０２をハウジング４１０に固定することができ、シールド４０６の近位フランジ４１６が、ハウジング４１０に形成された孔４１８内部で固定される。係合解除されると、シール基部４０２は、シールド４０６が必要に応じて除去または調節されうるように、除去されることができる。いくつかの実施形態では、当技術分野で既知の操縦ケーブルまたは別の制御機構が、シールド４０６の位置を制御するために用いられてよく、また、曲がりくねった通路に沿って必要に応じてシールド４０６を操縦するために用いられてよい。
【００８８】
別の実施形態では、図１６Ａおよび図１６Ｂに示されるように、各シールポート４５０、ハウジング４６０、開創器４６２、または本明細書に開示される様々な装置は、それらから遠位に延びる可撓性で細長いシールチャネルを有することができる。シールチャネル４５４は、開創器の閉じた遠位表面に取り外し可能に取り付けられることができ、あるいは、シール要素４５８に直接連結されることができ、シール基部４５２、ハウジング４６０、開創器４６２を通して、また必要に応じてそれ以上に延びることができる。図１６Ｂに示されるように、シールチャネル４５４は可撓性であってよく、チャネルが、チャネル４５４を通して挿入された外科器具と共に動き、またその外科器具周辺でシールを保持する。シールチャネル４５４の最遠位部分４６２は、シールチャネル４５４を通して挿入される外科器具周辺にシールを形成することができる、シール用フラップ４６４を有してよく、シール用フラップ４６４は、器具が中に挿入されていないときは閉じたままであることができる。可撓性シールチャネルの他の例示的な実施形態は、本出願と同日出願の「Surgical Access Device with Flexible Seal Channel」と題された米国特許出願第［    ］号［代理人整理番号１００８７３−３１５（ＥＮＤ６４８７ＵＳＮＰ）］に開示されており、これは、参照により全体として本明細書に組み込まれる。
【００８９】
図１７Ａ〜図１７Ｃに示す別の実施形態では、シール基部４３０が提供され、これは、シール基部４３０から近位に延びるカラーまたはシールド４３２を有する。シールド４３２は、器具がシールポート４３４に挿入される際に組織を保護するように構成されることができる。例えば、シール基部４３０の近位に位置する組織を、外科器具の挿入による穿刺または引裂きに曝した状態にする、外科用アクセス装置が、身体内の開口部に挿入される場合がある。したがって、シールド４３２は、シール基部４３０に取り付けられ、周囲組織に対して保護を与えるためにシール基部４３０から延びることができる。
【００９０】
シールド４３２は、当技術分野で既知のあらゆる取り付け機構によってシール基部４３０に取り付けられることができ、一実施形態では、シールド４３２は、片持ち梁風に突き出たスナップタブを用いてシール基部４３０に接続されることができ、シールドは、必要に応じて選択的に除去可能となる。スナップ、およびシールド４３２の少なくとも遠位部分４３６は、外科用アクセス装置に安定性を与えるよう、実質的に剛性であってよい。ポリカーボネートまたは高密度ポリエチレンを含むがこれらに限定されない、あらゆる適切な材料が、遠位部分を形成するのに使用されうる。シールド４３２の近位部分４３８は、組織に対するシールドの操縦性を可能にするため実質的に可撓性であってよく、シリコーン、ウレタン、熱可塑性エラストマー、およびゴムを含むがこれらに限定されない、当技術分野で既知のあらゆる適切な材料で形成されてよい。いくつかの実施形態では、シールド４３２は、シールド４３２がハウジングに対してシール基部４３０を回転させるのに用いられるように、かつ／またはハウジングを開創器に対して回転させるように、十分な剛性を有することができる。
【００９１】
いくつかの実施形態では、シールド４３２は、近位部分４３８の周縁部の周りに形成された一連の孔または開口部４４０を有しうる。開口部４４０により、シールド４３２が、縫合糸または他の機構を用いて患者に固定されること、および／または患者用のモデスティーカバー（modesty covering）を固定することを可能にすることができる。加えて、安定性特徴部、例えば、隆起部または溝、がシールド４３２の組織接触表面に位置して、いったん患者に挿入されたシールド４３２の回転を防ぐことができる。様々な形状およびタイプの、剛性および可撓性のシールドが外科用アクセス装置内部の様々な位置で使用されて、様々な構成要素および／または組織を保護しうることを、当業者は認識するであろう。
【００９２】
別の実施形態では、シールドは、ハウジングと開創器との間に延びてよく、形状が様々であってよい。例えば、図１７Ｄは、ハウジング４８２を有する外科用アクセス装置４８０を示しており、様々なシールポート４８４がハウジング４８２を貫通して形成されている。ハウジング４８２は、円錐形カラー４８８および可撓性の細長い部分４９０から形成された、延出した開創器４８６を有する。カラー４８８の近位部分４９２は、当技術分野で既知のあらゆる結合機構、例えば、接着剤、圧入などによって、ハウジング４８２の遠位部分４９４と、固定的に、または可動に、結合されることができる。カラー４８８は、可撓性または剛性であってよく、必要に応じてあらゆる長さを有して、患者の身体の、奥まった開口部４９６までのワーキングチャネルを与えることができ、可撓性の細長い部分４９０がその開口部に位置付けられることができる。可撓性の細長い部分４９０は、カラー４８８を通って延びることができ、あるいは、カラー４８８の遠位端部４９８上に形成されるか、または遠位端部４９８に結合されてよく、遠位端部４９８から遠位に延びることができる。いくつかの実施形態では、可撓性の細長い部分４９０は、遠位リングがあってもなくても、膣壁を通り過ぎて、さらには腹部の中まで延びる部分を有することができる。図示のように、カラー４８８は、遠位に減少する直径を有して、開口部内部における、および／または身体内への特定の通路に沿った、ある嵌合をもたらすことができる。いくつかの実施形態では、カラー４８８は、その中に形成された開口部を有して、組織をカラー４８８の中に収めて、可撓性の細長い部分４９０を保持することができる。カラー４８８が、患者の身体の、奥まった開口部へのアクセスを与えるように、必要に応じてあらゆる形状または角度方向を有してよいことが、当業者により認識されるであろう。このようにして、可撓性の細長い部分４９０は、奥まった開口部４９６を開くように機能することができ、一方、カラー４８８は、ハウジング４８２から可撓性の細長い部分４９０までの通路をもたらし、外科器具が、患者の身体内部における様々な処置のため、その通路を通して挿入されることができる。
【００９３】
本明細書に開示された外科用アクセス装置の実施形態すべてにおいて、係合および／または解放機構が含まれて、シール基部をハウジングから分離し、ハウジングを開創器から分離し、かつ／または、シールポートをシール基部から分離することができる。図１８Ａ〜図１８Ｆに示す一実施形態では、外科用アクセス装置５００が提供され、外科用アクセス装置５００は、内部に形成された開口部５０６を有するシールキャップ５１４、および、シールキャップ５１４の開口部５０６と連絡している１つ以上のシールポート５０４を備えたシール基部５０２を含むことができる。シールポート５０４は、内部に１つ以上のシール要素５１２を有することができる。ハウジング５０８が、シールキャップ５１４およびシール基部５０２を収容および支持することができ、開創器５１０が、ハウジング５０８と結合されてよく、また、患者の身体の開口部内部に位置付けられるように構成されてよい。
【００９４】
図示のように、シールキャップ５１４およびハウジング５０８は、シールキャップ５１４が、ハウジング５０８から除去可能とされることを可能にする、ラッチ機構５１６の形をした係合・解放機構を含むことができる。２つのタブ５１８が、シールキャップ５１４の遠位部分５２０の両側から延びてよく、ハウジング５０８の内側リング５２４に形成された対応するスロット５２２に係合するように構成されてよい。ラッチリング５２６は、ハウジング５０８の内側リング５２４と外周部との間に位置付けられてよく、また、ラッチリング５２６上に形成されたラッチ５２８を有しうる。ラッチ５２８は、以下でさらに詳細に説明するように、ハウジング５０８の外周部における窓５３０を通ってラッチリング５２６から外側に延びていてよく、窓５３０内部で短い距離だけ側方に前後に動かされうる。
【００９５】
内側リング５２４は、バネ５３４を内部に受容するためのバネスロット５３２を含みうる。バネ５３４の一端部５３６は、ラッチリング５２６の突出部５３８と接触していてよい。バネ５３４の反対側の端部５４０は、内側リング５２４のバネスロット５３２と接触していてよい。このようにして、ラッチ５２８が窓５３０内部で動かされると、ラッチリング５２６全体が動き、それによって、バネが、突出部５３８とバネスロット５３２の一端部との間で圧縮される。したがって、ラッチ５２８は、図１８Ｄに示されるように、バネ５３４が圧縮されない位置まで付勢される。
【００９６】
シールキャップ５１４のタブ５１８がハウジング５０８のスロット５２２に挿入されると、タブ５１８は、カム要素５３６に係合し、それにより、ラッチリング５２６がハウジング５０８の外周部および内側リング５２４に対して動かされるときにラッチ５２８を窓５３０内部で側方に動かすことができる。いったんタブ５１８が、タブ５１８に形成されたレッジ５３８を通り過ぎて挿入されると、バネ５３４は、カム要素５３６を、それに対応してラッチ５２８を、図１８Ｄに示されるそれらの付勢位置まで戻すことができ、それによって、シールキャップ５１４をハウジング５０８に固定する。シールキャップ５１４をハウジング５０８から解放するため、ラッチ５２８は、窓５３０内部で側方に動かされて、ラッチリング５２６の突出部５３８が、バネ５３４を圧縮することができる。この動作により、カム要素５３６が、タブ５１８の邪魔にならないところに動くことができ、それによって、シールキャップ５１４が、ハウジング５０８から係合解除され引っ込められることができる。このようにして、ラッチ機構５１６は、必要に応じてシールキャップおよびシール基部がハウジングおよび開創器と繰り返し係合すること、およびこれらから繰り返し係合解除されることを可能にすることができる。
【００９７】
図１９Ａおよび図１９Ｂに示す別の実施形態では、外科用アクセス装置の近位部分６００が提供され、近位部分６００は、内部に形成された開口部６０６を有するシールキャップ６１４、および、シールキャップ６１４の開口部６０６と連絡している１つ以上のシールポート６０４を備えたシール基部６０２を含むことができる。シールポート６０４は、内部に１つ以上のシール要素６１２を有することができる。ハウジング６０８は、シールキャップ６１４およびシール基部６０２を収容および支持することができ、開創器（不図示）が、ハウジング６０８と結合されてよく、また、患者の身体の開口部内部に位置付けられるよう構成されてよい。Ｏリング６２６が、シールキャップ６１４とハウジング６０８との間に位置付けられて、それらの間の気密・液密シールを確実にすることができる。
【００９８】
図示のように、シールキャップ６１４およびハウジング６０８は、差し込みピンラッチ機構の形の係合・解放機構を含みうる。２つの差し込みピン脚部６１８が、シールキャップ６１４の遠位部分６２０の両側から延びていてよく、ハウジング６０８の内側リング６２４に形成された対応するスロット６２２に係合するよう構成されていてよい。シールキャップ６１４の差し込みピン脚部６１８は、高さを低くされて、ハウジング６０８の内側リング６２４のスロット６１４の中に入ることができる。シールキャップ６１４は、ハウジング６０８に対して、例えば時計回り方向に、回転されてよく、それによって、差し込みピン脚部６１８は、レッジ６２８が差し込みピン脚部６１８の対応するレッジ６３０を覆う位置までスロット６２２内部で側方に移動し、それによって、シールキャップ６１４をハウジング６０８に固定またはロックする。係合解除が望ましい場合、シールキャップ６１４は、例えば反時計回り方向に、回転されてよく、差し込みピン脚部６１８は、スロット６１４から自由に引っ込められるようになる。
【００９９】
図２０Ａ〜図２０Ｃに示すさらなる実施形態では、ドーム型シール基部６５２を有する外科用アクセス装置６５０が提供され、複数のシールポート６５４が、シール基部６５２を通って延びている。シール基部６５２は、ハウジング６５６に隣接して位置付けられ、Ｃクランプ６５８によりハウジング６５６に固定されることができる。第１の開創器６６０が、当技術分野で既知のあらゆる方法によりハウジング６５６と結合されてよく、第２の開創器６６２が図示のように第１の開創器６６０と結合されてよい。
【０１００】
Ｃクランプ６５８は、「Ｃ」字型の実質的に剛性の要素であってよく、Ｃクランプ６５８と一体的に形成されたタブ６６４を有しうる。タブ６６４は、Ｃクランプ６５８の取り付けおよび除去中に簡単にしっかりと握ることを可能にする一連の隆起部６６６または他の表面形成物を有することができる。Ｃクランプ６５８は、ハウジング６５６の近位リム６６８およびシール基部６５２の遠位リム６７０の周りに位置付けられ、それによって、近位リム６６８および遠位リム６７０を互いに固定することができる。Ｃクランプ６５８は、リム６６８、６７０の周りで圧入をもたらす。Ｃクランプ６５８は、２つのリム６６８、６７０の周りから除去されて、シール基部６５２をハウジング６５６から分離することができる。様々なクランプが、必要に応じて外科用アクセス装置の様々な構成要素を互いに固定するのに用いられうることを、当業者は認識するであろう。
【０１０１】
本明細書に開示された外科用アクセス装置の実施形態のすべてと共にオプションとして含まれうる様々な特徴部がある。例えば、シール基部、ハウジング、開創器などといった、装置の構成要素は、患者内に挿入された際により良い可視化を可能にするため、その構成要素の上、またはその周縁部の周りに形成された１つ以上の照明を有してよい。認識されるであろうが、目に見えるか見えないかにかかわらず、あらゆる波長の光が様々な適用のために用いられてよい。特定の処置で様々な外科技術および装置を必要に応じて使用できるように、任意の数のポートも、外科用アクセス装置の上、および／または外科用アクセス装置を貫通して含まれてよい。例えば、開口部およびポートは、加圧気体、真空システム、無線周波数および超音波などのエネルギー源、灌注、画像化などの導入を可能にしうる。当業者に認識されるように、これらの技術および装置のいずれも、外科用アクセス装置に取り外し可能に取り付け可能であってよく、また、必要に応じて交換および操作されることができる。
【０１０２】
本明細書に記載される実施形態は、当業者に認識されるように、あらゆる既知の、また将来の外科処置および方法において使用されうる。例えば、本明細書に記載される実施形態のいずれも、「Methods and Devices for Performing Gastrectomies and Gastroplasties」と題された本出願と同日出願の米国特許出願第［    ］［代理人整理番号１００８７３−３１７（ＥＮＤ６４８８ＵＳＮＰ）］、「Methods and Devices for Performing Gastrectomies and Gastroplasties」と題された本出願と同日出願の米国特許出願第［    ］号［代理人整理番号１００８７３−３１８（ＥＮＤ６４８８ＵＳＮＰ１）］、および「Methods and Devices for Performing Gastroplasties Using a Multiple Port Access Device」と題された本出願と同日出願の米国特許出願第［    ］号［代理人整理番号１００８７３−３１９（ＥＮＤ６４８９ＵＳＮＰ）］に記載されるような、スリーブ胃切除および／または胃形成を行う際に用いられてよく、これら特許出願はすべて、参照により全体として本明細書に組み込まれる。
【０１０３】
本明細書に開示された装置は、１回使用した後で処分されるように設計されてもよく、あるいは、複数回使用されるように設計されてもよい。しかしながら、いずれの場合も、装置は、少なくとも１回使用した後で、再利用のため再調整されることができる。再調整には、装置の分解ステップ、それに続く、特定の部品の洗浄もしくは取替ステップ、およびその後の再組み立てステップのあらゆる組み合わせが含まれうる。詳細には、装置は、分解されてよく、装置の、任意の数の特定の部品または部分が、任意の組み合わせで選択的に取り替えられるかまたは取り外されうる。特定の部分が洗浄され、かつ／または取り替えられると、装置は、再調整施設で、または、外科処置の直前に外科チームによって、次の使用のため再組み立てされることができる。当業者は、装置の再調整が、分解、洗浄／取替、および再組み立てのための様々な技術を用いてよいことを認識するであろう。そのような技術の使用、および結果として生じる、再調整された装置はすべて、本出願の範囲内である。
【０１０４】
好ましくは、本明細書に記載された発明は、手術前に処理される。まず、新しい器具または使用済みの器具を入手し、必要であれば、洗浄する。器具は次に滅菌されうる。一滅菌技術では、器具は、プラスチックバッグまたはＴＹＶＥＫバッグなど、閉鎖および密封された容器の中に入れられる。容器および器具は次に、γ放射線、ｘ線、または高エネルギー電子など、容器を貫通できる放射線の場に置かれる。放射線が、器具上および容器内の細菌を死滅させる。滅菌された器具は、その後、滅菌容器内で保管されうる。密封された容器は、医療施設で開けられるまで、器具を滅菌状態に保つ。
【０１０５】
装置は滅菌されるのが好ましい。これは、βもしくはγ放射線、エチレンオキシド、蒸気、および液体浴（liquid bath）（例えば寒冷浸透（cold soak））を含む、当業者に既知の多くの方法によって行われうる。
【０１０６】
当業者は、前述した実施形態に基づく本発明のさらなる特徴および利点を認識するであろう。したがって、本発明は、添付の請求項により示されたものを除き、特に図示および説明したものにより限定されるものではない。本明細書で引用したすべての刊行物および参考文献は、参照により全体として本明細書に明確に組み込まれる。
【図面の簡単な説明】
【０１０７】
【図１Ａ】複数の軸外のシールポートが中を延びる外科用アクセス装置の一実施形態の斜視図である。
【図１Ｂ】シールポートのうち１つを通って延びる外科器具を示す、図１Ａの外科用アクセス装置の斜視図である。
【図１Ｃ】図１Ａの外科用アクセス装置の分解組立図である。
【図１Ｄ】図１Ｂの外科用アクセス装置および器具の断面図である。
【図１Ｅ】外科用アクセス装置において使用されるダックビルシール要素の一実施形態の斜視図である。
【図２Ａ】回転可能ステージ上の２つのシールポートを示す、外科用アクセス装置の一実施形態の上面図である。
【図２Ｂ】回転した位置にある回転可能ステージを示す、図２Ａの外科用アクセス装置の上面図である。
【図３Ａ】圧縮された状態にある可撓性コネクタを有する、図１Ａの外科用アクセス装置の斜視図である。
【図３Ｂ】膨張した構成の可撓性コネクタを示す、図３Ａの外科用アクセス装置の斜視図である。
【図３Ｃ】図３Ａの外科用アクセス装置の分解組立図である。
【図３Ｄ】図３Ａの外科用アクセス装置の断面図である。
【図４Ａ】可撓性コネクタと結び付けられたヒンジを示す、図３Ａの外科用アクセス装置の斜視図である。
【図４Ｂ】膨張した構成の可撓性コネクタを示す、図４Ａの外科用アクセス装置の断面図である。
【図５Ａ】外科器具が中に挿入された浮動するシール要素を有する外科用アクセス装置の一実施形態の部分断面図である。
【図５Ｂ】側方に動かされた浮動するシール要素を示す、図５Ａの外科用アクセス装置の断面図である。
【図５Ｃ】側方運動を可能にするための可撓性膜を備えた浮動するシール要素の一実施形態の断面図である。
【図６Ａ】開創器とハウジングとの間に延在するベローズコネクタを有する外科用アクセス装置の一実施形態の断面図である。
【図６Ｂ】ベローズコネクタにより開創器に対して側方に動かされたハウジングを示す、図６Ａの外科用アクセス装置の実施形態の断面図である。
【図７Ａ】複数の浮動するシールが中に配された外科用アクセス装置の一実施形態の斜視図である。
【図７Ｂ】１つ以上のジンバルにより角度調整が可能な浮動するシール要素の断面図である。
【図８Ａ】蝶番式のシール基部を有する外科用アクセス装置の一実施形態の断面図である。
【図８Ｂ】図８Ａの外科用アクセス装置の実施形態の断面図である。
【図８Ｃ】ヒンジが動かされたところを示す、図８Ａの外科用アクセス装置の実施形態の断面図である。
【図８Ｄ】図８Ａの外科用アクセス装置の実施形態の上面図である。
【図９Ａ】高くしたシール要素がシール基部に形成されている、外科用アクセス装置の別の実施形態の断面図である。
【図９Ｂ】シール基部と同一平面にあるシール要素を有する外科用アクセス装置の一実施形態の断面図である。
【図９Ｃ】シール基部において奥まっているシール要素を有する外科用アクセス装置の一実施形態の断面図である。
【図９Ｄ】シール要素がシール基部内部において異なる高さで位置付けられている、外科用アクセス装置の別の実施形態の断面図である。
【図１０Ａ】奥まったシール要素が中に配されている外科用アクセス装置のためのシール基部の一実施形態の斜視図である。
【図１０Ｂ】奥まったチャネルシール要素を示す、図１０Ａのシール基部の実施形態の別の斜視図である。
【図１０Ｃ】図１０Ａのシール基部の実施形態の断面図である。
【図１０Ｄ】図１０Ａのシール基部の実施形態の別の断面図である。
【図１１Ａ】外科用アクセス装置と共に使用されるシール基部の一実施形態の斜視図であり、非円形の孔を有するシールポートを示している。
【図１１Ｂ】外科用アクセス装置と共に使用されるシール基部の一実施形態の斜視図であり、可撓性シールポートを示している。
【図１２Ａ】シールポートが中に形成された可撓性シール基部を有する外科用アクセス装置の一実施形態の斜視図である。
【図１２Ｂ】図１２Ａの外科用アクセス装置の分解組立図である。
【図１２Ｃ】凹状構成の可撓性シール基部を示す、図１２Ａの外科用アクセス装置の分解組立図である。
【図１２Ｄ】凹状構成の可撓性シール基部を示す、図１２Ａの外科用アクセス装置の断面図である。
【図１３Ａ】シールポートの有効径を変えるためのアダプタを有する外科用アクセス装置の一実施形態の斜視図である。
【図１３Ｂ】図１３Ａの外科用アクセス装置の斜視図である。
【図１４Ａ】回転可能なシール要素を有するトロカール組立体の形をした外科用アクセス装置の実施形態の側面図である。
【図１４Ｂ】回転可能なシール要素を示す、図１４Ａの外科用アクセス装置の上面図である。
【図１４Ｃ】図１４Ａの外科用アクセス装置において使用される回転可能なシール要素の一実施形態の断面図である。
【図１４Ｄ】図１４Ａの外科用アクセス装置において使用される回転可能なシール要素の別の実施形態の断面図である。
【図１５Ａ】開創器を通って延びるシールドを有する外科用アクセス装置の一実施形態の斜視図である。
【図１５Ｂ】図１５Ａの外科用アクセス装置の断面図である。
【図１５Ｃ】図１５Ａの外科用アクセス装置の側面図である。
【図１６Ａ】各シールポートから延びるシールチャネルを有する外科用アクセス装置の別の実施形態の斜視図である。
【図１６Ｂ】シールチャネルの可撓性を示す、図１６Ａの外科用アクセス装置の斜視図である。
【図１７Ａ】外科用アクセス装置と共に使用されるシール基部および保護カラーの一実施形態の上面図である。
【図１７Ｂ】図１７Ａのシール基部および保護カラーの斜視図である。
【図１７Ｃ】図１７Ａのシール基部および保護カラーの底面図である。
【図１７Ｄ】患者の身体の奥まった開口部へのアクセスをもたらすカラーを有する開創器の一実施形態の側面図である。
【図１８Ａ】外科用アクセス装置において使用するラッチ機構の一実施形態の斜視図である。
【図１８Ｂ】図１８Ａのラッチ機構の分解組立図である。
【図１８Ｃ】図１８Ａのラッチ機構の別の斜視図である。
【図１８Ｄ】図１８Ａのラッチ機構において使用するハウジングの斜視図である。
【図１８Ｅ】図１８Ａのラッチ機構において使用するハウジングおよびシール基部の底面図である。
【図１９Ａ】外科用アクセス装置において使用するラッチ機構の別の実施形態の分解組立図である。
【図１９Ｂ】図１９Ａのラッチ機構の別の分解組立図である。
【図２０Ａ】Ｃクランプ固定機構を有する外科用アクセス装置の一実施形態の斜視図である。
【図２０Ｂ】図２０Ａの外科用アクセス装置の実施形態の斜視図である。
【図２０Ｃ】図２０Ａの外科用アクセス装置の実施形態の斜視図である。
【図１Ａ】
2010082450.tif 000003
【図１Ｂ】
2010082450.tif 000004
【図１Ｃ】
2010082450.tif 000005
【図１Ｄ】
2010082450.tif 000006
【図１Ｅ】
2010082450.tif 000007
【図２Ａ】
2010082450.tif 000008
【図２Ｂ】
2010082450.tif 000009
【図３Ａ】
2010082450.tif 000010
【図３Ｂ】
2010082450.tif 000011
【図３Ｃ】
2010082450.tif 000012
【図３Ｄ】
2010082450.tif 000013
【図４Ａ】
2010082450.tif 000014
【図４Ｂ】
2010082450.tif 000015
【図５Ａ】
2010082450.tif 000016
【図５Ｂ】
2010082450.tif 000017
【図５Ｃ】
2010082450.tif 000018
【図６Ａ】
2010082450.tif 000019
【図６Ｂ】
2010082450.tif 000020
【図７Ａ】
2010082450.tif 000021
【図７Ｂ】
2010082450.tif 000022
【図８Ａ】
2010082450.tif 000023
【図８Ｂ】
2010082450.tif 000024
【図８Ｃ】
2010082450.tif 000025
【図８Ｄ】
2010082450.tif 000026
【図９Ａ】
2010082450.tif 000027
【図９Ｂ】
2010082450.tif 000028
【図９Ｃ】
2010082450.tif 000029
【図９Ｄ】
2010082450.tif 000030
【図１０Ａ】
2010082450.tif 000031
【図１０Ｂ】
2010082450.tif 000032
【図１０Ｃ】
2010082450.tif 000033
【図１０Ｄ】
2010082450.tif 000034
【図１１Ａ】
2010082450.tif 000035
【図１１Ｂ】
2010082450.tif 000036
【図１２Ａ】
2010082450.tif 000037
【図１２Ｂ】
2010082450.tif 000038
【図１２Ｃ】
2010082450.tif 000039
【図１２Ｄ】
2010082450.tif 000040
【図１３Ａ】
2010082450.tif 000041
【図１３Ｂ】
2010082450.tif 000042
【図１４Ａ】
2010082450.tif 000043
【図１４Ｂ】
2010082450.tif 000044
【図１４Ｃ】
2010082450.tif 000045
【図１４Ｄ】
2010082450.tif 000046
【図１５Ａ】
2010082450.tif 000047
【図１５Ｂ】
2010082450.tif 000048
【図１５Ｃ】
2010082450.tif 000049
【図１６Ａ】
2010082450.tif 000050
【図１６Ｂ】
2010082450.tif 000051
【図１７Ａ】
2010082450.tif 000052
【図１７Ｂ】
2010082450.tif 000053
【図１７Ｃ】
2010082450.tif 000054
【図１７Ｄ】
2010082450.tif 000055
【図１８Ａ】
2010082450.tif 000056
【図１８Ｂ】
2010082450.tif 000057
【図１８Ｃ】
2010082450.tif 000058
【図１８Ｄ】
2010082450.tif 000059
【図１８Ｅ】
2010082450.tif 000060
【図１９Ａ】
2010082450.tif 000061
【図１９Ｂ】
2010082450.tif 000062
【図２０Ａ】
2010082450.tif 000063
【図２０Ｂ】
2010082450.tif 000064
【図２０Ｃ】
2010082450.tif 000065
【手続補正書】
【提出日】平成21年11月19日(2009.11.19)
【手続補正１】
【補正対象書類名】特許請求の範囲
【補正対象項目名】全文
【補正方法】変更
【補正の内容】
【特許請求の範囲】
【請求項１】
外科用アクセス装置において、
開創器であって、体腔内へと組織を貫通する通路を形成するために、前記開創器を通って延びる開口部を有する、開創器と、
前記開創器に連結されており、外科器具を受容するために、複数のシールポートを有する、ハウジングと、
前記開創器内部に配されており、前記シールポートおよび前記開創器を通して外科器具が挿入されることにより引き起こされる損傷から、組織を保護するように構成された、可撓性シールドと、
を含む、外科用アクセス装置。
【請求項２】
請求項１に記載の外科用アクセス装置において、
前記可撓性シールドは、前記開創器の長さと少なくとも同じ長さを有する、外科用アクセス装置。
【請求項３】
請求項１に記載の外科用アクセス装置において、
前記可撓性シールドは、前記開創器の長さよりも長い長さを有する、外科用アクセス装置。
【請求項４】
請求項１に記載の外科用アクセス装置において、
前記可撓性シールドは、前記ハウジングに連結されており、手術が行われる患者の体腔内へ前記ハウジングから延びるように構成されている、外科用アクセス装置。
【請求項５】
請求項１に記載の外科用アクセス装置において、
前記可撓性シールドに連結されており、曲がりくねった通路に沿って前記可撓性シールドを操縦するように構成された、操縦ケーブル、
をさらに含む、外科用アクセス装置。
【請求項６】
請求項１に記載の外科用アクセス装置において、
前記可撓性シールドは、前記ハウジングに取り外し可能に連結される、外科用アクセス装置。
【請求項７】
請求項１に記載の外科用アクセス装置において、
前記可撓性シールドは、シリコーン、ウレタン、熱可塑性エラストマー、およびゴムから成る群から選択された材料で形成される、外科用アクセス装置。
【請求項８】
請求項１に記載の外科用アクセス装置において、
前記可撓性シールドは、ポリオレフィン、ポリエステル、ナイロン、およびフルオロポリマーから成る群から選択された材料で形成される、外科用アクセス装置。
【請求項９】
請求項１に記載の外科用アクセス装置において、
各シールポートは、互いに異なる中心軸であって、前記ハウジングの長さ方向中心軸とは異なる、中心軸を有する、外科用アクセス装置。
【請求項１０】
請求項１に記載の外科用アクセス装置において、
前記ハウジングは、前記開創器に対して回転可能である、外科用アクセス装置。
【手続補正２】
【補正対象書類名】明細書
【補正対象項目名】０１０６
【補正方法】変更
【補正の内容】
【０１０６】
当業者は、前述した実施形態に基づく本発明のさらなる特徴および利点を認識するであろう。したがって、本発明は、添付の請求項により示されたものを除き、特に図示および説明したものにより限定されるものではない。本明細書で引用したすべての刊行物および参考文献は、参照により全体として本明細書に明確に組み込まれる。
〔実施の態様〕
（１）  外科用アクセス装置において、
開創器であって、体腔内へと組織を貫通する通路を形成するために、前記開創器を通って延びる開口部を有する、開創器と、
前記開創器に連結されており、外科器具を受容するために、複数のシールポートを有する、ハウジングと、
前記開創器内部に配されており、前記シールポートおよび前記開創器を通して外科器具が挿入されることにより引き起こされる損傷から、組織を保護するように構成された、可撓性シールドと、
を含む、外科用アクセス装置。
（２）  実施態様１に記載の外科用アクセス装置において、
前記可撓性シールドは、前記開創器の長さと少なくとも同じ長さを有する、外科用アクセス装置。
（３）  実施態様１に記載の外科用アクセス装置において、
前記可撓性シールドは、前記開創器の長さよりも長い長さを有する、外科用アクセス装置。
（４）  実施態様１に記載の外科用アクセス装置において、
前記可撓性シールドは、前記ハウジングに連結されており、手術が行われる患者の体腔内へ前記ハウジングから延びるように構成されている、外科用アクセス装置。
（５）  実施態様１に記載の外科用アクセス装置において、
前記可撓性シールドに連結されており、曲がりくねった通路に沿って前記可撓性シールドを操縦するように構成された、操縦ケーブル、
をさらに含む、外科用アクセス装置。
（６）  実施態様１に記載の外科用アクセス装置において、
前記可撓性シールドは、前記ハウジングに取り外し可能に連結される、外科用アクセス装置。
（７）  実施態様１に記載の外科用アクセス装置において、
前記可撓性シールドは、シリコーン、ウレタン、熱可塑性エラストマー、およびゴムから成る群から選択された材料で形成される、外科用アクセス装置。
（８）  実施態様１に記載の外科用アクセス装置において、
前記可撓性シールドは、ポリオレフィン、ポリエステル、ナイロン、およびフルオロポリマーから成る群から選択された材料で形成される、外科用アクセス装置。
（９）  実施態様１に記載の外科用アクセス装置において、
各シールポートは、互いに異なる中心軸であって、前記ハウジングの長さ方向中心軸とは異なる、中心軸を有する、外科用アクセス装置。
（１０）  実施態様１に記載の外科用アクセス装置において、
前記ハウジングは、前記開創器に対して回転可能である、外科用アクセス装置。
（１１）  実施態様１に記載の外科用アクセス装置において、
前記シールポートのうち少なくとも１つが、前記ハウジングに対して回転可能である、外科用アクセス装置。
（１２）  実施態様１に記載の外科用アクセス装置において、
各シールポートは、前記中心軸の角度方向が調節可能となるように、前記ハウジングに対して自由に動くことができる、外科用アクセス装置。
（１３）  実施態様１に記載の外科用アクセス装置において、
前記ハウジングを前記開創器に対して多軸的に動かすように、前記ハウジングと前記開創器との間に延在する、可撓性コネクタ、
をさらに含む、外科用アクセス装置。
（１４）  実施態様１３に記載の外科用アクセス装置において、
前記可撓性シールドは、前記可撓性コネクタおよび前記開創器を通って延びる、外科用アクセス装置。
（１５）  実施態様１に記載の外科用アクセス装置において、
前記開創器との、前記ハウジングの選択的な係合および係合解除を可能にするように構成された、解放機構、
をさらに含む、外科用アクセス装置。
（１６）  外科用アクセス装置において、
外科器具を受容するために、複数のシールポートを有するハウジングと、
患者の身体の開口部に位置付け可能であり、前記シールポートを通して挿入された外科器具を受容するために、前記ハウジングから遠位に延びる、開創器と、
前記ハウジングから近位に延びており、前記ハウジングの前記シールポート内へ進められる外科器具の挿入により引き起こされる損傷から、組織を保護するように構成された、カラーと、
を含む、外科用アクセス装置。
（１７）  実施態様１６に記載の外科用アクセス装置において、
前記カラーは、遠位開口部および近位開口部を備えた、実質的に円錐形の形状を有し、前記遠位開口部は、前記ハウジングの基部を受容する、外科用アクセス装置。
（１８）  実施態様１６に記載の外科用アクセス装置において、
前記カラーの少なくとも遠位部分が、実質的に剛性である、外科用アクセス装置。
（１９）  実施態様１８に記載の外科用アクセス装置において、
前記カラーの少なくとも前記遠位部分は、ポリカーボネート、および高密度ポリエチレンから成る群から選択された材料から形成される、外科用アクセス装置。
（２０）  実施態様１６に記載の外科用アクセス装置において、
前記カラーの少なくとも近位部分が、実質的に可撓性である、外科用アクセス装置。
（２１）  実施態様２０に記載の外科用アクセス装置において、
前記カラーの少なくとも前記近位部分は、シリコーン、ウレタン、熱可塑性エラストマー、およびゴムから成る群から選択された材料から形成される、外科用アクセス装置。
（２２）  実施態様１６に記載の外科用アクセス装置において、
前記カラーは、前記ハウジングに前記カラーを解放可能に固定するために、その遠位部分に解放可能な固定要素を含む、外科用アクセス装置。
（２３）  実施態様２２に記載の外科用アクセス装置において、
前記固定要素は、片持ち梁風に突き出た少なくとも１つのスナップを含む、外科用アクセス装置。
（２４）  実施態様１６に記載の外科用アクセス装置において、
前記カラーは、組織に前記カラーを固定するために、その近位部分の周りに配された複数の縫合糸用穴を有する、外科用アクセス装置。
（２５）  実施態様１６に記載の外科用アクセス装置において、
前記ハウジングは、前記開創器に対して回転可能であり、前記カラーの回転は、前記ハウジングを回転させるのに有効である、外科用アクセス装置。
（２６）  実施態様１６に記載の外科用アクセス装置において、
前記カラーは、前記ハウジングを方向付けるための、および外科器具を前記シールポート内へ導くための、誘導マークを含む、外科用アクセス装置。
（２７）  外科用アクセス装置において、
近位に向いた表面および遠位に向いた表面を有する基部リングと、
前記基部リングの前記遠位に向いた表面から遠位に延びる開創器と、
前記基部リングの前記近位に向いた表面から近位に延びるハウジングであって、前記ハウジングは、複数のシールポートを有する、ハウジングと、
前記開創器の内部を通って前記基部リングから遠位に延びるシールドであって、前記シールドは、前記開創器を通して外科器具が挿入されることにより引き起こされる損傷から、前記開創器を保護するように構成されている、シールドと、
を含む、外科用アクセス装置。
（２８）  実施態様２７に記載の外科用アクセス装置において、
前記シールドは、前記基部リングに解放可能に連結される、外科用アクセス装置。
（２９）  実施態様２７に記載の外科用アクセス装置において、
前記シールドは、前記開創器の長さよりも長い長さを有する、外科用アクセス装置。
（３０）  実施態様２７に記載の外科用アクセス装置において、
前記可撓性シールドに連結されており、曲がりくねった通路に沿って前記可撓性シールドを操縦するように構成された、操縦ケーブル、
をさらに含む、外科用アクセス装置。
（３１）  実施態様２７に記載の外科用アクセス装置において、
前記基部リングから前記カラーを取り外すための解放機構、
をさらに含む、外科用アクセス装置。
（３２）  実施態様２７に記載の外科用アクセス装置において、
前記シールドは、シリコーン、ウレタン、熱可塑性エラストマー、およびゴムから成る群から選択された材料で形成される、外科用アクセス装置。
（３３）  実施態様２７に記載の外科用アクセス装置において、
前記複数のシールポートのそれぞれから遠位に延びる複数のシールド、
をさらに含む、外科用アクセス装置。
（３４）  実施態様２７に記載の外科用アクセス装置において、
前記シールドは、ポリオレフィン、ポリエステル、ナイロン、およびフルオロポリマーから成る群から選択された材料で形成される、外科用アクセス装置。
（３５）  実施態様２７に記載の外科用アクセス装置において、
前記ハウジングを前記開創器に対して多軸的に動かすように、前記ハウジングと前記開創器との間に延在する、可撓性コネクタ、
をさらに含む、外科用アクセス装置。
【外国語明細書】
2010082450000001.pdf